(57)【特許請求の範囲】
【請求項１】
ユーザゾーンリストに情報を記憶する方法であって、
ワイヤレスデバイスにおいて、アクセスノードの２つ以上の通信インターフェースタイプを判断することと、
前記アクセスノードに関連付けられた１つまたは複数のユーザゾーンを判断することと、
各ユーザゾーンについて、前記２つ以上の通信インターフェースタイプの各々のためのそれぞれのユーザゾーンファイルを前記ユーザゾーンリストに記憶することであって、各ユーザゾーンファイルが前記アクセスノードの前記２つ以上の通信インターフェースタイプのうちの対応する１つに関するそれぞれの情報を含み、前記２つ以上のユーザゾーンファイルの各々の前記通信インターフェースタイプは、各々が複数の通信インターフェースタイプのうちの１つに対応することを複数のインジケータのうちの１つによって示される、記憶することとを備える方法。
【請求項２】
前記ワイヤレスデバイスが前記アクセスノードに関連付けられた前記１つまたは複数のユーザゾーンのうちの１つの内にあると判断することと、
前記アクセスノードを探索することとをさらに備える、請求項１に記載の方法。
【請求項３】
前記複数の通信インターフェースタイプが、少なくともｃｄｍａ２０００−１ｘ、ＨＲＰＤ、ＧＳＭ（登録商標）、ＵＭＴＳ、ＵＭＢ、ＷｉＭＡＸ、またはＬＴＥを含む、請求項１に記載の方法。
【請求項４】
前記１つまたは複数のユーザゾーンに関する情報を前記ユーザゾーンリストに記憶することとをさらに備える、請求項１に記載の方法。
【請求項５】
前記アクセスノードの前記１つまたは複数の通信インターフェースタイプのうちの少なくとも１つが、前記１つまたは複数のユーザゾーン通信インターフェースタイプのうちの少なくとも１つとは異なる、請求項１に記載の方法。
【請求項６】
前記１つまたは複数のユーザゾーンに関する前記情報が、１つまたは複数の地理的エリアを備える、請求項４に記載の方法。
【請求項７】
前記１つまたは複数のユーザゾーンに関する前記情報が擬似雑音オフセットを備える、請求項４に記載の方法。
【請求項８】
前記１つまたは複数のユーザゾーンに関する前記情報が、２つの受信基準信号間の時間差を備える、請求項４に記載の方法。
【請求項９】
前記１つまたは複数のユーザゾーンに関する前記情報がサブネット識別子を備える、請求項４に記載の方法。
【請求項１０】
前記アクセスノードの判断されたユーザゾーンの数に関する情報を前記ユーザゾーンリストに記憶することをさらに備える、請求項４に記載の方法。
【請求項１１】
前記アクセスノードに関連付けられた前記１つまたは複数のユーザゾーンを判断することが、
第１のユーザゾーン通信インターフェースタイプを有する前記アクセスノードの第１のユーザゾーンを判断することと、
前記第１の通信インターフェースタイプとは異なる第２のユーザゾーン通信インターフェースタイプを有する前記アクセスノードの第２のユーザゾーンを判断することと、
前記第１のユーザゾーンに関する情報を前記ユーザゾーンリストに記憶することと、
前記第２のユーザゾーンに関する情報を前記ユーザゾーンリストに記憶することであって、前記第２のユーザゾーンに関する前記情報が、前記第１のユーザゾーンに関する前記情報への参照を備える、記憶することとをさらに備える、請求項１に記載の方法。
【請求項１２】
前記アクセスノードの２つ以上の通信インターフェースタイプを判断することが、第１の通信インターフェースタイプを判断することと、前記第１の通信インターフェースタイプとは異なる第２の通信インターフェースタイプを判断することとを備え、前記判断された通信インターフェースタイプに関する情報を記憶することが、前記第１の通信インターフェースタイプに関する情報を前記ユーザゾーンリスト中の第１のユーザゾーンファイルに記憶することと、前記第２の通信インターフェースタイプに関する情報を前記ユーザゾーンリストの第２のユーザゾーンファイルに記憶することとを備える、請求項１に記載の方法。
【請求項１３】
前記第２のユーザゾーンファイルが前記第１のユーザゾーンファイルへの参照を備える、請求項１２に記載の方法。
【請求項１４】
ユーザゾーンリストに情報を記憶するための装置であって、
アクセスノードの２つ以上の通信インターフェースタイプを判断し、前記アクセスノードに関連付けられた１つまたは複数のユーザゾーンを判断するように構成されたプロセッサと、
各ユーザゾーンについて、前記２つ以上の通信インターフェースタイプの各々のためのそれぞれのユーザゾーンファイルを前記ユーザゾーンリストに記憶するように構成されたメモリであって、各ユーザゾーンファイルが前記アクセスノードの前記２つ以上の通信インターフェースタイプのうちの対応する１つに関するそれぞれの情報を含み、前記２つ以上のユーザゾーンファイルの各々の前記通信インターフェースタイプは、各々が複数の通信インターフェースタイプのうちの１つに対応することを、複数のインジケータのうちの１つによって示される、記憶するように構成されたメモリとを備える装置。
【請求項１５】
前記プロセッサは、ワイヤレスデバイスが前記アクセスノードに関連付けられた前記１つまたは複数のユーザゾーンのうちの１つの内にあると判断し、前記アクセスノードを探索するようにさらに構成された、請求項１４に記載の装置。
【請求項１６】
前記通信インターフェースタイプが、少なくともｃｄｍａ２０００−１ｘ、ＨＲＰＤ、ＧＳＭ、ＵＭＴＳ、ＵＭＢ、ＷｉＭＡＸ、またはＬＴＥを含む、請求項１４に記載の装置。
【請求項１７】
が、前記１つまたは複数のメモリユーザゾーンに関する情報を前記ユーザゾーンリストに記憶するように構成された、請求項１４に記載の装置。
【請求項１８】
前記アクセスノードの前記１つまたは複数の通信インターフェースタイプのうちの少なくとも１つが、前記１つまたは複数のユーザゾーン通信インターフェースタイプのうちの少なくとも１つとは異なる、請求項１４に記載の装置。
【請求項１９】
前記１つまたは複数のユーザゾーンに関する前記情報が、１つまたは複数の地理的エリアを備える、請求項１７に記載の装置。
【請求項２０】
前記１つまたは複数のユーザゾーンに関する前記情報が擬似雑音オフセットを備える、請求項１７に記載の装置。
【請求項２１】
前記１つまたは複数のユーザゾーンに関する前記情報が、２つの受信基準信号間の時間差を備える、請求項１７に記載の装置。
【請求項２２】
前記１つまたは複数のユーザゾーンに関する前記情報がサブネット識別子を備える、請求項１７に記載の装置。
【請求項２３】
前記メモリが、前記アクセスノードの判断されたユーザゾーンの数に関する情報を前記ユーザゾーンリストに記憶するように構成された、請求項１７に記載の装置。
【請求項２４】
前記アクセスノードに関連付けられた１つまたは複数のユーザゾーンを判断するように構成された前記プロセッサがさらに、第１のユーザゾーン通信インターフェースタイプを有する前記アクセスノードの第１のユーザゾーンを判断し、前記第１の通信インターフェースタイプとは異なる第２のユーザゾーン通信インターフェースタイプを有する前記アクセスノードの第２のユーザゾーンを判断するように構成され、前記メモリが、前記第１のユーザゾーンに関する情報を前記ユーザゾーンリストに記憶し、前記第２のユーザゾーンに関する情報を前記ユーザゾーンリストに記憶するように構成され、前記第２のユーザゾーンに関する前記情報が、前記第１のユーザゾーンに関する前記情報への参照を備える、請求項１４に記載の装置。
【請求項２５】
前記プロセッサが、第１の通信インターフェースタイプを判断し、前記第１の通信インターフェースタイプとは異なる第２の通信インターフェースタイプを判断するように構成され、前記メモリが、前記第１の通信インターフェースタイプに関する情報を前記ユーザゾーンリスト中の第１のユーザゾーンファイルに記憶し、前記第２の通信インターフェースタイプに関する情報を前記ユーザゾーンリストの第２のユーザゾーンファイルに記憶するように構成された、請求項１４に記載の装置。
【請求項２６】
前記第２のユーザゾーンファイルが前記第１のユーザゾーンファイルへの参照を備える、請求項２５に記載の装置。
【請求項２７】
アクセスノードの２つ以上の通信インターフェースタイプを判断することをコンピュータに行わせるためのコードと、
前記アクセスノードに関連付けられた１つまたは複数のユーザゾーンを判断することを前記コンピュータに行わせるためのコードと、
各ユーザゾーンについて、前記２つ以上の通信インターフェースタイプの各々のためのそれぞれのユーザゾーンファイルを前記ユーザゾーンリストに記憶することを前記コンピュータに行わせるためのコードであって、各ユーザゾーンファイルが前記アクセスノードの前記２つ以上の通信インターフェースタイプのうちの対応する１つに関するそれぞれの情報を含み、前記２つ以上のユーザゾーンファイルの各々の前記通信インターフェースタイプは、各々が複数の通信インターフェースタイプのうちの１つに対応することを複数のインジケータのうちの１つによって示される、記憶することを前記コンピュータに行わせるためのコードとを備えるコンピュータプログラム。
【請求項２８】
ワイヤレスデバイスが前記アクセスノードに関連付けられた前記１つまたは複数のユーザゾーンのうちの１つの内にあると判断することを前記コンピュータに行わせるためのコードと、
前記アクセスノードを探索することを前記コンピュータに行わせるためのコードとをさらに備える、請求項２７に記載のコンピュータプログラム。
【請求項２９】
前記通信インターフェースタイプが、少なくともｃｄｍａ２０００−１ｘ、ＨＲＰＤ、ＧＳＭ、ＵＭＴＳ、ＵＭＢ、ＷｉＭＡＸ、またはＬＴＥを含む、請求項２７に記載のコンピュータプログラム。
【請求項３０】
前記１つまたは複数のユーザゾーンに関する情報を前記ユーザゾーンリストに記憶することを前記コンピュータに行わせるためのコードとをさらに備える、請求項２７に記載のコンピュータプログラム。
【請求項３１】
前記アクセスノードの前記１つまたは複数の通信インターフェースタイプのうちの少なくとも１つが、前記判断されたユーザゾーン通信インターフェースタイプのうちの少なくとも１つとは異なる、請求項２７に記載のコンピュータプログラム。
【請求項３２】
前記１つまたは複数のユーザゾーンに関する前記情報が、１つまたは複数の地理的エリアを備える、請求項３０に記載のコンピュータプログラム。
【請求項３３】
前記１つまたは複数のユーザゾーンに関する前記情報が擬似雑音オフセットを備える、請求項３０に記載のコンピュータプログラム。
【請求項３４】
前記１つまたは複数のユーザゾーンに関する前記情報が、２つの受信基準信号間の時間差を備える、請求項３０に記載のコンピュータプログラム。
【請求項３５】
前記１つまたは複数のユーザゾーンに関する前記情報がサブネット識別子を備える、請求項３０に記載のコンピュータプログラム。
【請求項３６】
前記アクセスノードの判断されたユーザゾーンの数に関する情報を前記ユーザゾーンリストに記憶することを前記コンピュータに行わせるためのコードをさらに備える、請求項３０に記載のコンピュータプログラム。
【請求項３７】
前記アクセスノードに関連付けられた前記１つまたは複数のユーザゾーンを判断することを前記コンピュータに行わせるための前記コードが、
第１のユーザゾーン通信インターフェースタイプを有する前記アクセスノードの第１のユーザゾーンを判断することを前記コンピュータに行わせるためのコードと、
前記第１の通信インターフェースタイプとは異なる第２のユーザゾーン通信インターフェースタイプを有する前記アクセスノードの第２のユーザゾーンを判断することを前記コンピュータに行わせるためのコードと、
前記第１のユーザゾーンに関する情報を前記ユーザゾーンリストに記憶することを前記コンピュータに行わせるためのコードと、
前記第２のユーザゾーンに関する情報を前記ユーザゾーンリストに記憶することを前記コンピュータに行わせるためのコードであって、前記第２のユーザゾーンに関する前記情報が、前記第１のユーザゾーンに関する前記情報への参照を備える、コードとをさらに備える、請求項２７に記載のコンピュータプログラム。
【請求項３８】
前記アクセスノードの２つ以上の通信インターフェースタイプを判断することを前記コンピュータに行わせるための前記コードが、第１の通信インターフェースタイプを判断することを前記コンピュータに行わせるためのコードと、前記第１の通信インターフェースタイプとは異なる第２の通信インターフェースタイプを判断することを前記コンピュータに行わせるためのコードとを備え、前記判断された通信インターフェースタイプに関する情報を記憶することを前記コンピュータに行わせるための前記コードが、前記第１の通信インターフェースタイプに関する情報を前記ユーザゾーンリスト中の第１のユーザゾーンファイルに記憶することを前記コンピュータに行わせるためのコードと、前記第２の通信インターフェースタイプに関する情報を前記ユーザゾーンリストの第２のユーザゾーンファイルに記憶することを前記コンピュータに行わせるためのコードとを備える、請求項２７に記載のコンピュータプログラム。
【請求項３９】
前記第２のユーザゾーンファイルが前記第１のユーザゾーンファイルへの参照を備える、請求項３８に記載のコンピュータプログラム。
【請求項４０】
ユーザゾーンリストに情報を記憶するための装置であって、
ワイヤレスデバイスにおいて、アクセスノードの２つ以上の通信インターフェースタイプを判断するための手段と、
前記アクセスノードに関連付けられた１つまたは複数のユーザゾーンを判断するための手段と、
各ユーザゾーンについて、前記２つ以上の通信インターフェースタイプの各々のためのそれぞれのユーザゾーンファイルを前記ユーザゾーンリストに記憶するための手段であって、各ユーザゾーンファイルが前記アクセスノードの前記２つ以上の通信インターフェースタイプのうちの対応する１つに関するそれぞれの情報を含み、前記２つ以上のユーザゾーンファイルの各々の前記通信インターフェースタイプは、各々が複数の通信インターフェースタイプのうちの１つに対応することを複数のインジケータのうちの１つによって示される、記憶するための手段とを備える装置。
【請求項４１】
前記ワイヤレスデバイスが前記アクセスノードに関連付けられた前記１つまたは複数のユーザゾーンのうちの１つの内にあると判断するための手段と、
前記アクセスノードを探索するための手段とをさらに備える、請求項４０に記載の装置。
【請求項４２】
前記通信インターフェースタイプが、少なくともｃｄｍａ２０００−１ｘ、ＨＲＰＤ、ＧＳＭ、ＵＭＴＳ、ＵＭＢ、ＷｉＭＡＸ、またはＬＴＥを含む、請求項４０に記載の装置。
【請求項４３】
前記１つまたは複数のユーザゾーンに関する情報を前記ユーザゾーンリストに記憶するための手段とをさらに備える、請求項４０に記載の装置。
【請求項４４】
前記アクセスノードの前記１つまたは複数の通信インターフェースタイプのうちの少なくとも１つが、前記１つまたは複数のユーザゾーン通信インターフェースタイプのうちの少なくとも１つとは異なる、請求項４０に記載の装置。
【請求項４５】
前記１つまたは複数のユーザゾーンに関する前記情報が、１つまたは複数の地理的エリアを備える、請求項４３に記載の装置。
【請求項４６】
前記１つまたは複数のユーザゾーンに関する前記情報が擬似雑音オフセットを備える、請求項４３に記載の装置。
【請求項４７】
前記１つまたは複数のユーザゾーンに関する前記情報が、２つの受信基準信号間の時間差を備える、請求項４３に記載の装置。
【請求項４８】
前記１つまたは複数のユーザゾーンに関する前記情報がサブネット識別子を備える、請求項４３に記載の装置。
【請求項４９】
前記アクセスノードの判断されたユーザゾーンの数に関する情報を前記ユーザゾーンリストに記憶するための手段をさらに備える、請求項４３に記載の装置。
【請求項５０】
前記アクセスノードに関連付けられた前記１つまたは複数のユーザゾーンを判断するための前記手段が、
第１のユーザゾーン通信インターフェースタイプを有する前記アクセスノードの第１のユーザゾーンを判断するための手段と、
前記第１の通信インターフェースタイプとは異なる第２のユーザゾーン通信インターフェースタイプを有する前記アクセスノードの第２のユーザゾーンを判断するための手段と、
前記第１のユーザゾーンに関する情報を前記ユーザゾーンリストに記憶するための手段と、
前記第２のユーザゾーンに関する情報を前記ユーザゾーンリストに記憶するための手段であって、前記第２のユーザゾーンに関する前記情報が、前記第１のユーザゾーンに関する前記情報への参照を備える、記憶するための手段とをさらに備える、請求項４０に記載の装置。
【請求項５１】
前記アクセスノードの２つ以上の通信インターフェースタイプを判断するための前記手段が、第１の通信インターフェースタイプを判断するための手段と、前記第１の通信インターフェースタイプとは異なる第２の通信インターフェースタイプを判断するための手段とを備え、前記判断された通信インターフェースタイプに関する情報を記憶するための前記手段が、前記第１の通信インターフェースタイプに関する情報を前記ユーザゾーンリスト中の第１のユーザゾーンファイルに記憶するための手段と、前記第２の通信インターフェースタイプに関する情報を前記ユーザゾーンリストの第２のユーザゾーンファイルに記憶するための手段とを備える、請求項４０に記載の装置。
【請求項５２】
前記第２のユーザゾーンファイルが前記第１のユーザゾーンファイルへの参照を備える、請求項５１に記載の装置。
【請求項５３】
前記１つまたは複数のユーザゾーンのうちの前記１つが前記アクセスノードに関連付けられた１つまたは複数の基準を備える、請求項２に記載の方法。
【請求項５４】
前記ユーザゾーンリストが１つまたは複数のユーザゾーンに関する情報をもつデータ構造を備える、請求項１に記載の方法。
【請求項５５】
各ユーザゾーンファイルが特定のアクセスノードに関する情報および前記特定のアクセスノードに関連付けられた１つまたは複数のユーザゾーンを備える、請求項１に記載の方法。
【請求項５６】
前記１つまたは複数のユーザゾーンのうちの前記１つが前記アクセスノードに関連付けられた１つまたは複数の基準を備える、請求項１５に記載の装置。
【請求項５７】
前記ユーザゾーンリストが１つまたは複数のユーザゾーンに関する情報をもつデータ構造を備える、請求項１４に記載の装置。
【請求項５８】
各ユーザゾーンファイルが特定のアクセスノードに関する情報および前記特定のアクセスノードに関連付けられた１つまたは複数のユーザゾーンを備える、請求項１４に記載の装置。
【発明の詳細な説明】
【技術分野】
【０００１】
［米国特許法第１１９条に基づく優先権の主張］
本特許出願は、２００９年５月８日に出願された「ENHANCEMENTS FOR SYSTEM SELECTION AND THE PREFERRED USER ZONE LIST (PUZL) FOR ACCESS POINT BASE STATIONS」と題する米国仮出願第６１／１７６，８１８号の優先権を主張する。上記の出願は、本明細書によって参照により本明細書に明確に組み込まれる。
【背景技術】
【０００２】
［分野］
本出願は、一般にワイヤレス通信に関し、より詳細には、ユーザゾーンリスト(user zone list)に情報を記憶するためのシステムおよび方法に関する。
【０００３】
［関連技術の記載］
ワイヤレス通信システムは、様々なタイプの通信（たとえば、ボイス、データ、マルチメディアサービスなど）を複数のユーザに提供するために広く展開されている。高速なマルチメディアデータサービスの需要が急速に増大するにつれて、向上したパフォーマンスをもつ効率的でロバスト（robust）な通信システムを実装することが課題となっている。
【０００４】
現在展開されている携帯電話ネットワークに加えて、ユーザの家に設置され、既存のブロードバンドインターネット接続を使用してモバイルユニットに屋内ワイヤレスカバレージを与え得る、新しい種類の小さい基地局が出現した。そのようなパーソナル小型基地局は、一般に、アクセスポイント基地局、または、代替的に、ホームノードＢ（ＨＮＢ）またはフェムトノード（femto node）として知られている。典型的には、そのような小型基地局は、ＤＳＬルータまたはケーブルモデムを介してインターネットおよびモバイル事業者のネットワークに接続される。従来のマクロノードのカバレージエリア中では、個人ユーザによって複数のフェムトノードが展開され得る。フェムトノードの手動選択またはフェムトノードへのハンドオフなどのためにフェムトノードを探索しているモバイルユニットは、複数のフェムトノードのシステム情報を探索し、読み込み得る。所与のエリア中には多数のノードがあるために、これはかなりの時間量を必要とし得、その時間中、モバイルユニットのリソースは他の目的のために利用不可能である。フェムトノードのシステム情報の探索および読込みの効率を高めることが望ましい。
【発明の概要】
【０００５】
本発明のシステム、方法、およびデバイスは、それぞれいくつかの態様を有し、それらのうちの単一の態様が単独で本発明の望ましい属性を担当するわけではない。次に、以下の特許請求の範囲によって表される本発明の範囲を限定することなしに、いくつかの特徴について手短に説明する。この説明を考察すれば、特に「発明を実施するための形態」と題するセクションを読めば、本発明の特徴が、通信インターフェースタイプを記憶することと、通信インターフェースタイプに基づいて情報を記憶することとを含む利点をどのように提供するかが理解されよう。
【０００６】
本開示の一態様は、ユーザゾーンリストに情報を記憶する方法であって、ワイヤレスデバイスにおいて、アクセスノードの１つまたは複数の通信インターフェースタイプを判断することと、判断された通信インターフェースタイプに関する情報をユーザゾーンリストに記憶することとを備える方法である。
【０００７】
本開示の別の態様は、ユーザゾーンリストに情報を記憶するための装置であって、アクセスノードの１つまたは複数の通信インターフェースタイプを判断するように構成されたプロセッサと、判断された通信インターフェースタイプに関する情報をユーザゾーンリストに記憶するように構成されたメモリとを備える装置である。
【０００８】
本開示の別の態様は、アクセスノードの１つまたは複数の通信インターフェースタイプを判断することをコンピュータに行わせるためのコードと、判断された通信インターフェースタイプに関する情報をユーザゾーンリストに記憶することをコンピュータに行わせるためのコードとをさらに備えるコンピュータ可読媒体を備えるコンピュータプログラム製品である。
【０００９】
本開示の別の態様は、ユーザゾーンリストに情報を記憶するための装置であって、ワイヤレスデバイスにおいて、アクセスノードの１つまたは複数の通信インターフェースタイプを判断するための手段と、判断された通信インターフェースタイプに関する情報をユーザゾーンリストに記憶するための手段とを備える装置である。
【図面の簡単な説明】
【００１０】
【図１】例示的なワイヤレス通信ネットワークを示す図。
【図２】２つ以上の通信ネットワークの例示的な相互動作を示す図。
【図３】図１および図２に示すワイヤレス通信ネットワークの例示的なカバレージエリアを示す図。
【図４】図２の通信ネットワークのうちの１つにおける例示的なフェムトノードと例示的なユーザ機器との機能ブロック図。
【図５Ａ】ユーザゾーンリストに情報を記憶する方法を示すフローチャート。
【図５Ｂ】第１のマクロノードと第２のマクロノードとのカバレージエリア内のＵＥの機能ブロック図。
【図６】フェムトノードに関する情報をデータベースに記憶する方法を示すフローチャート。
【図７】異なる通信インターフェースタイプの２つのユーザゾーンを含む、フェムトノードに関する情報をデータベースに記憶する方法を示すフローチャート。
【図８】フェムトノードの２つの異なる通信インターフェースタイプを含む、フェムトノードに関する情報をデータベースに記憶する方法を示すフローチャート。
【図９】フェムトノードを走査する方法のフローチャート。
【図１０】例示的なユーザゾーンリストの図。
【図１１】例示的なユーザゾーンファイルの図。
【図１２】ＳＹＳ＿ＴＹＰＥフィールドがｃｄｍａ２０００−１ｘに設定された例示的なＳＹＳ＿ＩＮＦＯフィールドの図。
【図１３】ＳＹＳ＿ＴＹＰＥフィールドがＨＲＰＤに設定された例示的なＳＹＳ＿ＩＮＦＯフィールドの図。
【図１４】ＡＣＱ＿ＴＹＰＥフィールドがｃｄｍａ２０００−１ｘまたはＨＲＰＤに設定された例示的なＡＣＱ＿ＩＮＦＯフィールドの図。
【図１５】ＵＺ＿ＲＦ＿ＴＹＰＥフィールドがｃｄｍａ２０００−１ｘに設定された例示的なＵＺ＿ＲＦ＿ＩＮＦＯフィールドの図。
【図１６】ＵＺ＿ＲＦ＿ＴＹＰＥフィールドがＨＲＰＤに設定された例示的なＵＺ＿ＲＦ＿ＩＮＦＯフィールドの図。
【図１７】別の例示的なユーザ機器の機能ブロック図。
【発明を実施するための形態】
【００１１】
［詳細な説明］
「例示的」という単語は、本明細書では「例、事例、または例示の働きをすること」を意味するために使用する。本明細書で「例示的」と記載されたいかなる実施形態も、必ずしも他の実施形態よりも好ましいまたは有利であると解釈すべきではない。本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど様々なワイヤレス通信ネットワークに対して使用され得る。「ネットワーク」および「システム」という用語は、しばしば互換的に使用される。ＣＤＭＡネットワークは、汎用地上波無線アクセス（ＵＴＲＡ;Universal Terrestrial Radio Access）、ｃｄｍａ２０００などの無線技術を実装し得る。ＵＴＲＡは、Ｗｉｄｅｂａｎｄ−ＣＤＭＡ（Ｗ−ＣＤＭＡ）および低チップレート（ＬＣＲ）を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭＡなどの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。これらの様々な無線技術および規格は当技術分野で知られている。
【００１２】
シングルキャリア変調および周波数領域等化を利用するシングルキャリア周波数分割多元接続（ＳＣ−ＦＤＭＡ）は、１つの技法である。ＳＣ−ＦＤＭＡは、ＯＦＤＭＡシステムと同様の性能および本質的に同じ全体的な複雑さを有する。ＳＣ−ＦＤＭＡ信号は、その特有のシングルキャリア構造のためにより低いピーク対平均電力比（ＰＡＰＲ;peak-to-average power ratio）を有する。ＳＣ−ＦＤＭＡは特に、より低いＰＡＰＲが送信電力効率の点でモバイル端末に大幅な利益を与えるアップリンク通信において大きい注目を引いている。それは現在、３ＧＰＰ  Ｌｏｎｇ  Ｔｅｒｍ  Ｅｖｏｌｕｔｉｏｎ（ＬＴＥ）、またはＥｖｏｌｖｅｄ  ＵＴＲＡにおけるアップリンク多元接続方式に関する実用的な前提である。
【００１３】
いくつかの態様では、マクロスケールのカバレージ（たとえば、一般にマクロセルネットワークと呼ばれる、３Ｇネットワークなどの広域セルラーネットワーク）、およびより小さいスケールのカバレージ（たとえば、住居ベースまたは建築物ベースのネットワーク環境）を含むネットワーク中で、本明細書の教示を採用し得る。ユーザ機器（「ＵＥ」）がそのようなネットワーク中を移動するとき、ユーザ機器は、あるロケーションでは、マクロカバレージを与えるアクセスノード（「ＡＮ」）によってサービスされ、他のロケーションでは、より小さいスケールのカバレージを与えるアクセスノードによってサービスされ得る。いくつかの態様では、より小さいカバレージノードを使用して、（たとえば、よりロバストなユーザ経験のために）増分キャパシティの増大と、屋内カバレージと、様々なサービスとを与え得る。本明細書での説明では、比較的大きいエリアにわたるカバレージを与えるノードを、マクロノードと呼ぶことがある。比較的小さいエリア（たとえば、住居）にわたるカバレージを与えるノードを、フェムトノードと呼ぶことがある。マクロエリアよりも小さく、フェムトエリアよりも大きいエリアにわたるカバレージを与える（たとえば、商業建築物内のカバレージを与える）ノードを、ピコノードと呼ぶことがある。
【００１４】
マクロノード、フェムトノード、またはピコノードに関連付けられたセルを、それぞれ、マクロセル、フェムトセル、またはピコセルと呼ぶことがある。いくつかの実装形態では、各セルをさらに１つまたは複数のセクタに関連付ける（たとえば、分割する）ことがある。
【００１５】
様々な適用例では、マクロノード、フェムトノード、またはピコノードを指すために他の用語を使用することがある。たとえば、マクロノードを、アクセスノード、基地局、アクセスポイント、ｅＮｏｄｅＢ、マクロセルなどとして構成する、または呼ぶことがある。また、フェムトノードを、Ｈｏｍｅ  ＮｏｄｅＢ、Ｈｏｍｅ  ｅＮｏｄｅＢ、アクセスポイント基地局、フェムトセルなどとして構成する、または呼ぶことがある。
【００１６】
図１に、例示的なワイヤレス通信ネットワーク１００を示す。ワイヤレス通信ネットワーク１００は、何人かのユーザ間の通信をサポートするように構成される。ワイヤレス通信ネットワーク１００は、１つまたは複数のセル１０２、たとえば、セル１０２ａ〜１０２ｇなどに分割され得る。セル１０２ａ〜１０２ｇ中の通信カバレージは、１つまたは複数のノード１０４、たとえば、ノード１０４ａ〜１０４ｇなどによって与えられ得る。各ノード１０４は、対応するセル１０２に通信カバレージを与え得る。ノード１０４は、複数のユーザ機器（ＵＥ）、たとえば、ＵＥ１０６ａ〜１０６ｌなどと対話し得る。
【００１７】
各ＵＥ１０６は、所与の瞬間に順方向リンク（ＦＬ）および／または逆方向リンク（ＲＬ）上で１つまたは複数のノード１０４と通信し得る。ＦＬは、ノードからＵＥへの通信リンクである。ＲＬは、ＵＥからノードへの通信リンクである。ノード１０４は、たとえば、適切なワイヤードまたはワイヤレスインターフェースによって相互接続され、互いに通信することが可能であり得る。したがって、各ＵＥ１０６は、１つまたは複数のノード１０４を介して別のＵＥ１０６と通信し得る。たとえば、ＵＥ１０６ｊは、次のようにＵＥ１０６ｈと通信し得る。ＵＥ１０６ｊがノード１０４ｄと通信し得る。次いで、ノード１０４ｄはノード１０４ｂと通信し得る。次いで、ノード１０４ｂはＵＥ１０６ｈと通信し得る。したがって、ＵＥ１０６ｊとＵＥ１０６ｈとの間に通信が確立される。
【００１８】
ワイヤレス通信ネットワーク１００は広い地理的領域にわたってサービスを提供し得る。たとえば、セル１０２ａ〜１０２ｇは、近隣内の数ブロックまたは地方環境における数平方マイルのみをカバーし得る。一実施形態では、各セルは、１つまたは複数のセクタ（図示せず）にさらに分割され得る。
【００１９】
上述のように、ノード１０４は、そのカバレージエリア内で、たとえばインターネットまたはセルラーネットワークなどの通信ネットワークへのアクセスをユーザ機器（ＵＥ）１０６に与え得る。
【００２０】
ＵＥ１０６は、通信ネットワークを介してボイスまたはデータを送信および受信するためにユーザによって使用されるワイヤレス通信デバイスまたは装置（たとえば、携帯電話、ルータ、パーソナルコンピュータ、サーバなど）であり得る。ユーザ機器（ＵＥ）は、本明細書では、アクセス端末（ＡＴ）、移動局（ＭＳ）、または端末デバイスと呼ばれることもある。図示のように、ＵＥ１０６ａ、１０６ｈ、および１０６ｊはルータを備える。ＵＥ１０６ｂ〜１０６ｇ、１０６ｉ、１０６ｋ、および１０６ｌは携帯電話を備える。ただし、ＵＥ１０６ａ〜１０６ｌの各々は、任意の好適な通信デバイスを備え得る。
【００２１】
図２に、２つ以上の通信ネットワークの例示的な相互動作を示す。ＵＥ２２０が、ＵＥ２２１などの別のＵＥに情報を送信し、そこから情報を受信することが望ましいことがある。図２は、ＵＥ２２０と、ＵＥ２２１と、ＵＥ２２２とが互いに通信し得る方法を示している。図２に示すように、マクロノード２０５が、マクロエリア２３０内のユーザ機器に通信カバレージを与え得る。たとえば、ＵＥ２２０はメッセージを生成し、それをマクロノード２０５に送信し得る。そのメッセージは、様々なタイプの通信（たとえば、ボイス、データ、マルチメディアサービスなど）に関係する情報を備え得る。ＵＥ２２０はワイヤレスリンクを介してマクロノード２０５と通信し得る。マクロノード２０５は、ワイヤードリンクまたはワイヤレスリンクを介してネットワーク２４０と通信し得る。また、フェムトノード２１０および２１２は、ワイヤードリンクまたはワイヤレスリンクを介してネットワーク２４０と通信し得る。ＵＥ２２２は、ワイヤレスリンクを介してフェムトノード２１０と通信し、ＵＥ２２１は、ワイヤレスリンクを介してフェムトノード２１２と通信し得る。
【００２２】
また、マクロノード２０５は、ネットワーク２４０を介してサーバ（図２に図示せず）および交換センター（図２に図示せず）などのデバイスと通信し得る。たとえば、マクロノード２０５は、ＵＥ２２０から受信したメッセージを交換センター（図２に図示せず）に送信し、交換センターは、そのメッセージを別のネットワークに転送し得る。ネットワーク２４０はまた、ＵＥ２２０と、ＵＥ２２１と、ＵＥ２２２との間の通信を可能にするために使用され得る。たとえば、ＵＥ２２０は、ＵＥ２２１と通信していることがある。ＵＥ２２０は、メッセージをマクロノード２０５に送信し得る。マクロノード２０５は、そのメッセージをネットワーク２４０に転送し得る。ネットワーク２４０は、そのメッセージをフェムトノード２１２に転送し得る。フェムトノード２１２は、そのメッセージをＵＥ２２１に転送し得る。同様に、ＵＥ２２１からＵＥ２２０への逆の経路がたどられ得る。別の例では、ＵＥ２２１は、ＵＥ２２２と通信していることがある。ＵＥ２２１は、メッセージをフェムトノード２１２に送信し得る。フェムトノード２１２は、そのメッセージをネットワーク２４０に転送し得る。ネットワーク２４０は、そのメッセージをフェムトノード２１０に転送し得る。フェムトノード２１０は、そのメッセージをＵＥ２２２に転送し得る。同様に、ＵＥ２２２からＵＥ２２１への逆の経路がたどられ得る。
【００２３】
一実施形態では、フェムトノード２１０、２１２は、個人消費者によって展開され、家庭、アパート、オフィスビルなどの中に配置され得る。フェムトノード２１０、２１２は、所定のセルラー伝送帯域を利用して、フェムトノード２１０、２１２の所定のレンジ（たとえば、１００ｍ）内にあるＵＥと通信し得る。一実施形態では、フェムトノード２１０、２１２は、デジタル加入者回線（たとえば、非対称ＤＳＬ（ＡＤＳＬ）、高データレートＤＳＬ（ＨＤＳＬ）、超高速ＤＳＬ（ＶＤＳＬ）などを含むＤＳＬ）、インターネットプロトコル（ＩＰ）トラフィックを搬送するＴＶケーブル、電力線を介したブロードバンド（ＢＰＬ）接続、または他のリンクなど、インターネットプロトコル（ＩＰ）接続を通してネットワーク２４０と通信し得る。
【００２４】
ネットワーク２４０は、たとえば、以下のネットワーク、すなわち、インターネット、イントラネット、ローカルエリアネットワーク（ＬＡＮ）またはワイドエリアネットワーク（ＷＡＮ）を含むコンピュータおよび／またはデバイスの任意のタイプの電子的に接続されたグループを備え得る。さらに、ネットワークへの接続性は、たとえば、リモートモデム、イーサネット（登録商標）（ＩＥＥＥ８０２．３）、トークンリング（token-ring）（ＩＥＥＥ８０２．５）、ファイバ分散データリンクインターフェース（ＦＤＤＩ）非同期転送モード（ＡＴＭ）、ワイヤレスイーサネット（ＩＥＥＥ８０２．１１）、またはＢｌｕｅｔｏｏｔｈ(登録商標)（ＩＥＥＥ８０２．１５．１）であり得る。コンピューティングデバイスは、デスクトップ、サーバ、ポータブル、ハンドヘルド、セットトップ、または他の所望の構成のタイプでもよいことに留意されたい。本明細書で使用する、ネットワーク２４０は、パブリックインターネット、インターネット内のプライベートネットワーク、インターネット内のセキュアなネットワーク、プライベートネットワーク、公衆ネットワーク、付加価値ネットワーク、イントラネットなど、ネットワーク変形体を含む。いくつかの実施形態では、ネットワーク２４０はバーチャルプライベートネットワーク（ＶＰＮ）をも備え得る。
【００２５】
図３に、図１および図２に示すワイヤレス通信ネットワーク１００および２００の例示的なカバレージエリアを示す。カバレージエリア３００は、図２に関して上記で説明したように、ＵＥ２２０が通信ネットワーク２４０にアクセスし得る１つまたは複数の地理的エリアを備え得る。図示のように、カバレージエリア３００は、いくつかのトラッキングエリア３０２（またはルーティングエリアまたは位置登録エリア）を備える。各トラッキングエリア３０２は、図２に関して上記で説明したマクロエリア２３０と同様のものであり得る、いくつかのマクロエリア３０４を備える。ここで、トラッキングエリア３０２Ａ、３０２Ｂ、および３０２Ｃに関連付けられたカバレージのエリアは太線によって輪郭を描かれて示され、マクロエリア３０４は六角形によって表されている。トラッキングエリア３０２は、図２に関して上記で説明したフェムトエリア２３０と同様のものであり得る、フェムトエリア３０６をも備え得る。この例では、フェムトエリア３０６の各々（たとえば、フェムトエリア３０６Ｃ）は、マクロエリア３０４（たとえば、マクロエリア３０４Ｂ）内に示されている。ただし、フェムトエリア３０６は、完全にマクロエリア３０４内にあるわけではないことがあることを諒解されたい。実際問題として、多数のフェムトエリア３０６は所与のトラッキングエリア３０２またはマクロエリア３０４とともに画定され得る。また、１つまたは複数のピコエリア（図示せず）は所与のトラッキングエリア３０２またはマクロエリア３０４内に画定され得る。
【００２６】
再び図２を参照すると、フェムトノード２１０の所有者は、たとえば、３Ｇモバイルサービスなど、通信ネットワーク２４０（たとえば、モバイル事業者コアネットワーク）を介して提供されるモバイルサービスに加入し得る。さらに、ユーザ機器２２１は、マクロ環境（たとえば、マクロエリア）と、より小さいスケールの（たとえば、住居、フェムトエリア、ピコエリアなど）ネットワーク環境との両方で動作することが可能であり得る。言い換えれば、ユーザ機器２２１の現在のロケーションに応じて、ユーザ機器２２１は、マクロノード２０５によって、またはフェムトノードのセットのうちのいずれか１つ（たとえば、フェムトノード２１０、２１２）によって、通信ネットワーク２４０にアクセスし得る。たとえば、加入者は、自宅の外にいるときはマクロノード（たとえば、ノード２０５）によってサービスされ、自宅にいるときはフェムトノード（たとえば、ノード２１０）によってサービスされ得る。フェムトノード２１０は既存のユーザ機器２２１と後方互換性があるものであり得ることをさらに諒解されたい。
【００２７】
フェムトノード２１０は、単一の周波数を介して、または、代替として、複数の周波数を介して通信し得る。特定の構成に応じて、単一の周波数、あるいは複数の周波数のうちの１つまたは複数は、マクロノード（たとえば、ノード２０５）によって使用される１つまたは複数の周波数と重複することがある。
【００２８】
一実施形態では、ユーザ機器２２１は、特定の（たとえば、好適な）フェムトノード（たとえば、ユーザ機器２２１のホームフェムトノード）の通信レンジ内にあるときはいつでもそのフェムトノードに接続するように構成され得る。たとえば、ユーザ機器２２１は、フェムトエリア２１５内にあるとき、フェムトノード２１０のみと通信し得る。
【００２９】
別の実施形態では、ユーザ機器２２１は、ノードと通信しているが、（たとえば、好適ローミングリストにおいて定義された）好適なノードとは通信していない。本実施形態では、ユーザ機器２２１は、ベターシステムリセレクション（「ＢＳＲ;Better System Reselection」）を使用して、好適なノード（たとえば、好適なフェムトノード２１０）を探索し続け得る。ＢＳＲは、より良いシステムが現在利用可能であるかどうかを判断するための、利用可能なシステムの周期的走査を備える方法を備え得る。ＢＳＲは、利用可能な好適なシステムに関連しようと試みることをさらに備え得る。ユーザ機器２２１は、ＢＳＲを、１つまたは複数の特定の帯域および／またはチャネルにわたる走査に限定し得る。好適なフェムトノード２１０を発見すると、ユーザ機器２２１は、フェムトエリア２１５内で通信ネットワーク２４０にアクセスするために通信するためのフェムトノード２１０を選択する。
【００３０】
たとえば、マクロノード２０５と通信していることがあるＵＥ２２１は、フェムトノード２１０に近接したとき、フェムトノード２１０にハンドオフ（すなわち、アイドルまたはアクティブハンドオフ）し得る。したがって、ＵＥ２２２は、フェムトノード２１０と通信し始める。１ｘＲＴＴ、１ｘＥＶ−ＤＯ、ＷＣＤＭＡ、ＨＳＰＡなどのモバイルネットワークでは、ユーザ機器がノードに近接したとき、ハンドオフをトリガするための機構がある。たとえば、各ノード（たとえば、フェムトノード、マクロノードなど）は、ビーコンを発生し、送信するように構成され得る。ビーコンは、パイロットチャネルおよび他のオーバーヘッドチャネルを備え得る。さらに、異なる周波数上で動作しているＵＥがビーコンを検出することができるように、ビーコンは複数の周波数上で送信され得る。ＵＥは、ハンドオフを実行するために、ノードから受信したビーコンを使用して、ノードを識別し得る。
【００３１】
ユーザ機器（たとえば、ＵＥ２２０、２２１、２２２）は、通信ネットワーク２４０にアクセスするためにフェムトノードと通信すべきか否かを判断するために、フェムトノードを一意に識別する必要があり得る。たとえば、ＵＥ２２１は、フェムトノード２１０と通信することができるようになる前に、フェムトノード２１０をエリア中の他のノードと区別することができなければならない。フェムトノード２１０を一意に識別することによって、ＵＥ２２１は、適切に通信をフェムトノード２１０に向け、通信をフェムトノード２１０から発信していると識別することができる。
【００３２】
一実施形態では、ＵＥは、フェムトノードから送信されたパイロット信号を備えるビーコンを検出することによって、フェムトノードを一意に識別し得る。パイロット信号は、パイロット信号の送信元であるフェムトノードを一意に識別し得る。たとえば、フェムトノード２１０および２１２は、異なるパイロット信号（たとえば、パイロット信号Ａおよびパイロット信号Ｂ）をそれぞれ送信し得る。ＵＥ２２１は、フェムトノード２１０および２１２の各々から両方のパイロット信号を受信し得る。次いで、ＵＥ２２１は、パイロット強度測定報告（ＰＳＭＲ）を発生し得る。ＰＳＭＲは、受信したパイロット信号を備え得る。ＰＳＭＲは、パイロット信号の信号強度（Ｅcp／Ｉo）をさらに備え得る。ＵＥ２２１は、ＵＥ２２１が通信しているマクロノード２０５に、測定報告メッセージ（ＭＲＭ）中でＰＳＭＲを送信し得る。
【００３３】
マクロノード２０５は、パイロット信号をフェムトノードにマッピングする情報（たとえば、データベース）にアクセスし得る。一実施形態では、パイロット信号をノードにマッピングする情報は、マクロノード２０５において記憶され得る。別の実施形態では、マクロノード２０５は、パイロット信号をノードにマッピングする情報を含むネットワーク２４０上のサーバにアクセスし得る。一実施形態では、識別されたフェムトノードと通信するようにＵＥ２２１がプロビジョニングされている場合、マクロノード２０５は、識別されたフェムトノードにハンドオフするようにＵＥ２２１に指示し得る。別の実施形態では、マクロノード２０５は、ハンドオフを指示する前に、パイロット信号の信号強度がしきい値レベルを上回るかどうかをさらに判断する。
【００３４】
一実施形態では、各パイロット信号は、異なるオフセットをもつ擬似雑音（ＰＮ；pseudonoise）コード、または一意のＰＮコードのセットなど、物理レイヤ識別子を備える。ＰＮコードおよび／またはオフセットは、ノードおよび／またはノードタイプ（たとえば、フェムトノード、マクロノード、ピコノード）を識別するコードまたは数字（たとえば、チップ）のシーケンスを備え得る。ＰＮコードは、ＰＮオフセットが適用されたＰＮショートコードを備え得る。ＰＮオフセットは、ＰＮショートコードに適用される、本当のネットワーク同期時間からの遅延を示し得る。一実施形態では、ノードのすべてが、同じＰＮショートコードを使用することがある。ただし、ノードによって、そのＰＮショートコードに異なるＰＮオフセットを適用することがある。したがって、ＰＮオフセットはオフセットＰＮショートコードに直接相関し、「ＰＮオフセット」および「オフセットＰＮショートコード」という用語は、本明細書では互換的に使用され得る。ＬＴＥシステムの場合、識別子は「物理セル識別子」と呼ばれる。
【００３５】
一実施形態では、各ＰＮオフセット間の遅延の増分は６４チップである。これは、受信したパイロット信号が区別可能であることを確実にする。たとえば、フェムトノード２１０とＵＥ２２１との間でパイロット信号を送信するときに、フェムトノード２１０とＵＥ２２１との間の通信経路上での伝搬遅延により、信号に遅延があることがある。したがって、フェムトノード２１０によって送信されたＰＮオフセット６４をもつパイロット信号は、伝搬遅延により２チップだけ遅延され、ＵＥ２２１によってＰＮオフセット６６として受信され得る。ＵＥ２２１は、遅延したパイロット信号を検出するために、予想されるＰＮオフセット値を中心とする探索ウィンドウを探索し得る。たとえば、ＵＥ２２１は、遅延したパイロット信号を検出するために、ＰＮオフセット６４を中心とする±１０チップの探索ウィンドウを有し得る。オフセット６６は、他のパイロット信号よりもオフセット６４に近いので、元のパイロット信号がオフセット６４とともに送信されたと仮定しても差しつかえない。したがって、各パイロット信号を少なくとも６４チップだけ分離することによって、伝搬遅延による小さい遅延は、パイロット信号の検出または送信ノードの識別に影響を及ぼさない。
【００３６】
一実施形態では、ＰＮオフセットは、信号を送信するノードのタイプ（たとえば、フェムトノード、マクロノード、ピコノード）を識別するために使用され得る。たとえば、フェムトノードを識別するためにＰＮオフセットの特定のセットが予約され得る。しかしながら、使用できるＰＮオフセットの数が、ある地理的エリア内のフェムトノードの数よりも少ないことがある。したがって、ＰＮオフセット単独では、フェムトノードを一意に識別するのに十分でないことがある。たとえば、フェムトノードが使用するために６個の一意のＰＮオフセットがとっておかれ得る。しかしながら、６つを超えるフェムトノードがマクロエリア２３０内に展開されることがある。その結果、所与のＰＮオフセットをもつ単一のパイロット信号を使用して各フェムトノードを識別することは、フェムトノードを一意に識別するのに十分でないことがある。
【００３７】
一実施形態では、ノードは、通信するようにプロビジョニングされたいくつかのユーザ機器にのみ、いくつかのサービスを提供し得る。そのようなノードは「制限」または「限定」ノードと呼ばれることがある。制限フェムトノードを備えるワイヤレス通信ネットワークでは、マクロノードと、フェムトノード（たとえば、フェムトノード２１０）の定義されたセットとによってのみ、所与のユーザ機器にサービスし得る。他の実装形態では、ノードは、シグナリング、データアクセス、登録、ページング、またはサービスのうちの少なくとも１つを提供しないように制限され得る。
【００３８】
一実施形態では、（限定加入者グループホームノードＢと呼ばれることもある）制限フェムトノードは、ユーザ機器の制限されたプロビジョニングされたセットにサービスを提供するノードである。このセットは、必要に応じて、追加のまたはより少ないユーザ機器を含むように、一時的にまたは恒久的に変更され得る。いくつかの態様では、限定加入者グループ（「ＣＳＧ」）は、ユーザ機器の共通のアクセス制御リスト（たとえば、ユーザ機器の制限されたプロビジョニングされたセットのリスト）を共有するアクセスノード（たとえば、フェムトノード）のセットとして定義され得る。領域中のすべてのフェムトノード（またはすべての制限フェムトノード）が動作するチャネルをフェムトチャネルと呼ぶことがある。
【００３９】
したがって、所与のフェムトノードと所与のユーザ機器との間には様々な関係が存在し得る。たとえば、ユーザ機器の観点から、オープンフェムトノードは、制限された関連付けをもたないフェムトノードを指すことがある。制限または限定フェムトノードは、何らかの形で制限された（たとえば、関連付けおよび／または登録について制限された）フェムトノードを指すことがある。ハイブリッドフェムトノードは、フェムトノードリソースの限られた量がすべてのユーザに利用可能であり、残りは制限された方法で動作するフェムトノードを指し得る。ホームフェムトノードは、ユーザ機器がアクセスし、その上で動作することをサブスクライブされ／許可されるフェムトノードを指し得る。ゲストフェムトノードは、ユーザ機器がアクセスし、その上で動作することを一時的にサブスクライブされ／許可されるフェムトノードを指し得る。外来フェムトノードは、おそらく非常事態（たとえば、９１１番）を除いて、ユーザ機器がアクセスまたは動作することを許可されないフェムトノードを指し得る。
【００４０】
制限フェムトノードの観点から、ホームユーザ機器は、制限フェムトノードにアクセスすることをサブスクライブされ／許可されるユーザ機器を指し得る。ゲストユーザ機器は、制限フェムトノードへの一時的サブスクリプション／アクセスをもつユーザ機器を指し得る。外来ユーザ機器は、おそらく９１１番などの非常事態を除いて、制限フェムトノードにアクセスする許可を有しないユーザ機器を指し得る。
【００４１】
ＵＥ２２１がフェムトノード２１０にアクセスすることを許されているか否かを判断するために、ＵＥ２２１は、フェムトノード２１０が周期的にブロードキャストし得るフェムトノード２１０のシステム情報ブロードキャスト（ＳＩＢ）など、Ｌ３オーバーヘッドメッセージを読み取り得る。システム情報は、一意にフェムトノード２１０を識別するＣＳＧ  ＩＤおよび／またはセルＩＤなどの識別情報を含み得る。システム情報は、（たとえば、限定、オープン、またはハイブリッド）フェムトノード２１０のアクセスモードのインジケータをさらに含み得る。したがって、ＵＥ２２１は、それがフェムトノード２１０にアクセスすることができるかどうか、また、フェムトノード２１０をどのように一意に識別するのかを判断することができる。
【００４２】
いくつかの実施形態では、各ＵＥ（たとえば、ＵＥ２２１）は、１つまたは複数の周波数上でフェムトノード（たとえば、フェムトノード２１０）が使用するために予約される物理レイヤ識別子（たとえば、プライマリスクランブリングコード（ＰＳＣ）、物理セル識別子（ＰＣＩ）、ＰＮオフセットなど）に関する情報を有する。情報は、１つまたは複数の周波数上でフェムトノードが使用するために予約される物理レイヤ識別子を備える、１つまたは複数のＰＳＣリストなど、１つまたは複数の物理識別子リストを備え得る。物理識別子リストは、フェムトノードの物理レイヤ識別子に関連付けられたフェムトノードの各々の周波数をさらに備え得る。一実施形態では、物理レイヤ識別子リストは、特定の周波数に固有であり、ただ１つの周波数に関連付けられたフェムトノードの物理識別子を記載する。別の実施形態では、物理識別子リストは、ＵＥ２２１が通信するすべての周波数についてのフェムトノードの物理識別子を記載する。
【００４３】
ＵＥ２２１が、ボイス呼中など、アクティブに通信していない待機またはアイドルモードにあるとき、ＵＥ２２１は、マクロノード２０５またはフェムトノード２１０などのノードから物理識別子リストを受信し得る。別の実施形態では、ＵＥ２２１は、物理識別子リストとともにプログラム（たとえば、プロビジョニング）され得る。一実施形態では、マクロノード２０５によってブロードキャストされる物理識別子リストに記載される物理識別子は、マクロノード２０５がリストをブロードキャストする周波数と同じ周波数上で通信しているフェムトノードの物理識別子である。別の実施形態では、マクロノード２０５によってブロードキャストされる物理識別子リストに記載される物理識別子は、ＵＥ２２１が通信するすべての周波数についてのフェムトノードの物理識別子である。
【００４４】
物理識別子リストを使用して、物理レイヤ識別子リスト上の物理レイヤ識別子をもつノードのＳＩＢのみを読み取り、他のタイプのノードのＳＩＢを読み取ることを回避することによって、フェムトノードを探索するＵＥ２２１はフェムトノードのみのＳＩＢを読み取り得る。ＵＥ２２１のいくつかのリソース（たとえば、トランシーバ、プロセッサなど）は、ＳＩＢを読み取るために使用され得る。この時間中、ＵＥ２２１は、ページングメッセージを受信することなど、他の目的のためにそのようなリソースを使用することができないことがある。したがって、物理識別子リストを利用することによって、ＵＥ２２１は、フェムトノードを探索する時間を節約し、追加の目的のためにリソースを空けることができる。
【００４５】
一実施形態では、ＵＥ２２１は、物理識別子リストを使用して、フェムトノードを探索するためにかかる時間を高速化することができ、それにより、たとえば、ＵＥ２２１のユーザが、フェムトノードの手動選択などのために、フェムトノードの詳細をより迅速に閲覧することを可能にする。ＵＥ２２１は、１つまたは複数のマクロノードから受信した１つまたは複数の物理識別子リストを有し得る。ＵＥ２２１のユーザは、ＵＥ２２１上で手動フェムトノード選択プロシージャを開始し得る。この時間中に、ＵＥ２２１は、ノードとアクティブ通信（たとえば、ボイス呼）をしていないアイドルモードにあり得る。ＵＥ２２１は、物理識別子リストを使用して、フェムトノードがどの周波数上で通信しているかを判断し得る。ＵＥ２２１は、フェムトノードの周波数のみを走査し、フェムトノード以外の周波数を走査することを無視し得る。たとえば、周波数Ｆ１およびＦ２上では通信しているが、周波数Ｆ３上では通信していないフェムトノードがあり得る。したがって、ＵＥ２２１は、物理識別子について、Ｆ１およびＦ２の走査は実行するが、Ｆ３の走査は実行し得ない。走査中に、ＵＥ２２１は、走査する周波数上で１つまたは複数のノードの物理識別子を検出し得る。物理識別子リストを使用して、ＵＥ２２１は、どの検出された物理識別子がフェムトノードに関連付けられているかを判断する。次いで、ＵＥ２２１は、フェムトノードに関連付けられた検出された物理識別子のみからＳＩＢを読み取る。別の実施形態では、ＵＥ２２１は、ＵＥ２２１が通信のために十分であると判断した十分に強い信号対雑音比（ＳＮＲ）（たとえば、しきい値レベルを上回るＳＮＲ）をもつＳＩＢを送信するフェムトノードに関連付けられた検出された物理識別子のみからＳＩＢを読み取る。次いで、ＵＥ２２１は、ＵＥ２２１のディスプレイ上でユーザに、ＳＩＢが読み取られたフェムトノードに関係する情報を表示し得る。フェムトノードに関係する情報は、フェムトノードの識別情報、フェムトノードの名前、フェムトノードのアクセスモード、フェムトノードの信号強度などの任意の組合せを含み得る。ＵＥ２２１のユーザは、この情報を使用して、選択されたフェムトノードにハンドオフすることなどによって、通信すべきフェムトノードを選択し得る。
【００４６】
ＵＥ２２１はさらに、物理識別子リストを使用して、あるノードから別のノードへのアクティブハンドインをより効率的に実行し得る。たとえば、ＵＥ２２１は、アクティブに別のＵＥと通話している、および周波数Ｆ１上でマクロノード２０５と通信しているなど、アクティブモードにあり得る。通信ネットワーク２４０上のマクロノード２０５などのコントローラは、ハンドインすべき近隣ノードについての周波数内探索を実行するようにＵＥ２２１に命令し得る。ＵＥ２２１は、周波数Ｆ１を走査して、ＵＥ２２１の通信距離内のノードによって送信された物理レイヤ識別子を検出し得る。次いで、ＵＥ２２１は、物理レイヤ識別子リストを使用して、検出されたノードのうちの１つまたは複数のＳＩＢを選択的に読み取り得る。一実施形態では、ＵＥ２２１がフェムトノードへのサブスクリプションを有しない場合、ＵＥ２２１は、フェムトノードに関連付けられた物理識別子をもつノードのＳＩＢを読み取ることを回避し得る。ＵＥ２２１がフェムトノードへのサブスクリプションを有し、どんなタイプのノードにでもハンドインするように構成されている場合、ＵＥ２２１は、すべてのノードのＳＩＢを読み取り得る。一実施形態では、ＵＥ２２１がフェムトノードへのサブスクリプションを有し、フェムトノードのみにハンドインするように構成されている場合、ＵＥ２２１は、フェムトノードのみのＳＩＢを読み取り得る。別の実施形態では、ＵＥ２２１がフェムトノードへのサブスクリプションを有し、フェムトノードのみにハンドインするように構成されている場合、ＵＥ２２１は、ＵＥ２２１がサブスクリプションを有するフェムトノードの物理レイヤ識別子に一致する物理レイヤ識別子をもつフェムトノードのＳＩＢのみを読み取り得る。上記の実施形態の場合、ＵＥ２２１はさらに、ＵＥ２２１が通信のために十分であると判断した十分に強い信号対雑音比（ＳＮＲ）（たとえば、しきい値レベルを上回るＳＮＲ）をもつＳＩＢを送信するフェムトノードに関連付けられた検出された物理識別子のみからＳＩＢを読み取り得る。フェムトノードのＳＩＢを利用して、ＵＥ２２１は、フェムトノードの各々とサブスクライブされているか否かを判断することができる。いくつかの実施形態では、次いで、ＵＥ２２１は、検出されたノードをマクロノード２０５に報告する。一実施形態では、ＵＥ２２１は、検出されたすべてのノードをマクロノード２０５に報告する。別の実施形態では、ＵＥ２２１は、ＵＥ２２１がアクセスすることを許可されたフェムトノードおよび／またはマクロノードのみを報告する。次いで、マクロノード２０５は、報告されたノードの１つへのアクティブハンドオーバを可能にし得る。たとえば、マクロノード２０５は、ＵＥ２２１がアクセスすることを許可された、最も高い信号対雑音比をもつ信号をＵＥ２２１が受信するノードにハンドオーバするようにＵＥ２２１に指示し得る。上記で説明した実施形態は、あるフェムトノードから別のフェムトノードへのアクティブハンドインのために同様に使用され得ることを、当業者は認識されたい。
【００４７】
別の実施形態では、ＵＥ２２１はさらに、物理識別子リストを使用して、セル再選択をより効率的に実行し得る。たとえば、ＵＥ２２１は、アイドルモードにあり、周波数Ｆ１上でマクロノード２０５にキャンピングしていることがある。次いで、ＵＥ２２１は、セル再選択を実行し、異なるノードにキャンピングする必要があると判断し得る。たとえば、ＵＥ２２１とマクロノード２０５との間の信号状態が悪化することがある。したがって、ＵＥ２２１は、キャンピングすべきノードについて、１つまたは複数の周波数を走査し得る。ＵＥ２２１は、アイドルハンドオフ（たとえば、セル再選択）を実行し、マクロノード２０５から、キャンピングすべき他のノードにハンドオフし得る。一実施形態では、ＵＥ２２１は、マクロノード２０５が通信する周波数Ｆ１以外の周波数をのみ走査し得る。別の実施形態では、ＵＥ２２１は、マクロノード２０５が通信する周波数と同じ周波数Ｆ１をのみ走査し得る。さらに別の実施形態では、ＵＥ２２１は、フェムトノードの周波数のみを走査し、フェムトノード以外の周波数を走査することを無視し得る。たとえば、物理識別子リストによれば、周波数Ｆ１およびＦ２上では通信しているが、周波数Ｆ３上では通信していないフェムトノードがあり得る。したがって、ＵＥ２２１は、物理識別子について、Ｆ１およびＦ２の走査は実行するが、Ｆ３の走査は実行し得ない。走査中に、ＵＥ２２１は、走査する周波数上で１つまたは複数のノードの物理識別子を検出し得る。
【００４８】
セル再選択プロセスの一部として、ＵＥ２２１は、次いで、物理レイヤ識別子リストを使用して、検出されたノードのうちの１つまたは複数のＳＩＢを選択的に読み取り得る。ＵＥ２２１がフェムトノードへのサブスクリプションを有しない場合、ＵＥ２２１は、フェムトノードに関連付けられた物理識別子をもつノードのＳＩＢを読み取ることを回避し得る。ＵＥ２２１がフェムトノードへのサブスクリプションを有し、どんなタイプのノードにでもハンドオフするように構成されている場合、ＵＥ２２１は、すべてのノードのＳＩＢを読み取り得る。一実施形態では、ＵＥ２２１がフェムトノードへのサブスクリプションを有し、フェムトノードのみにハンドオフするように構成されている場合、ＵＥ２２１は、フェムトノードのみのＳＩＢを読み取り得る。別の実施形態では、ＵＥ２２１がフェムトノードへのサブスクリプションを有し、フェムトノードのみにハンドオフするように構成されている場合、ＵＥ２２１は、ＵＥ２２１がサブスクリプションを有するフェムトノードの物理レイヤ識別子に一致する物理レイヤ識別子をもつフェムトノードのＳＩＢのみを読み取り得る。上記の実施形態の場合、ＵＥ２２１はさらに、ＵＥ２２１が通信のために十分であると判断した十分に強い信号対雑音比（ＳＮＲ）（たとえば、しきい値レベルを上回るＳＮＲ）をもつＳＩＢを送信するフェムトノードに関連付けられた検出された物理識別子のみからＳＩＢを読み取り得る。フェムトノードのＳＩＢを利用して、ＵＥ２２１は、フェムトノードの各々とサブスクライブされているか否かを判断することができる。次いで、ＵＥ２２１は、ＵＥ２２１によって読み取られたＳＩＢに基づいて、適切なノードへのセル再選択を実行し得る。上記で説明した実施形態は、あるフェムトノードから別のフェムトノードへのアイドルハンドオフのために同様に使用され得ることを、当業者は認識されたい。
【００４９】
便宜のために、本明細書の開示では、フェムトノードに関係する様々な機能について説明する。ただし、ピコノードは、同じまたは同様の機能をより大きいカバレージエリアに提供し得ることを諒解されたい。たとえば、所与のユーザ機器に対して、ピコノードを制限すること、ホームピコノードを定義することなどが行われ得る。
【００５０】
ワイヤレス多元接続通信システムは、複数のワイヤレスユーザ機器のための通信を同時にサポートし得る。上述のように、各ユーザ機器は、順方向リンクおよび逆方向リンク上の送信を介して１つまたは複数のノードと通信し得る。順方向リンク（またはダウンリンク）は、ノードからユーザ機器への通信リンクを指し、逆方向リンク（またはアップリンク）は、ユーザ機器からノードへの通信リンクを指す。この通信リンクは、単入力単出力システム、多入力多出力（「ＭＩＭＯ」）システム、または何らかの他のタイプのシステムを介して確立され得る。
【００５１】
ＭＩＭＯシステムは、データ送信のために複数（ＮＴ個）の送信アンテナと複数（ＮＲ個）の受信アンテナとを採用する。ＮＴ個の送信アンテナとＮＲ個の受信アンテナとによって形成されるＭＩＭＯチャネルは、空間チャネルとも呼ばれるＮＳ個の独立チャネルからなり得、ここで、ＮＳ≦ｍｉｎ｛ＮＴ，ＮＲ｝である。ＮＳ個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与え得る。
【００５２】
ＭＩＭＯシステムは時分割複信（「ＴＤＤ」）および周波数分割複信（「ＦＤＤ」）をサポートし得る。ＴＤＤシステムでは、順方向リンク送信と逆方向リンク送信とが同一周波数領域上で行われるので、相反定理により逆方向リンクチャネルからの順方向リンクチャネルの推定が可能である。これにより、複数のアンテナがデバイス（たとえば、ノード、ユーザ機器など）において利用可能であるとき、そのデバイスは順方向リンク上で送信ビームフォーミング利得を抽出することが可能になる。
【００５３】
本明細書の教示は、少なくとも１つの他のデバイス（たとえば、ノード、ユーザ機器など）と通信するための様々な構成要素を採用するデバイスに組み込まれ得る。
【００５４】
図４は、図２の通信ネットワークのうちの１つにおける、第１の例示的なフェムトノード４１０と第１の例示的なユーザ機器４５０との機能ブロック図である。図示のように、ＭＩＭＯシステム４００は、フェムトノード４１０とユーザ機器４５０（たとえば、ＵＥ２２２）とを備える。フェムトノード４１０では、いくつかのデータストリームのトラフィックデータが、データソース４１２から送信（「ＴＸ」）データプロセッサ４１４に供給される。
【００５５】
一実施形態では、各データストリームは、それぞれの送信アンテナを介して送信される。ＴＸデータプロセッサ４１４は、符号化データを与えるために、そのデータストリーム用に選択された特定の符号化方式に基づいて、データストリームごとにトラフィックデータをフォーマットし、符号化し、インターリーブする。
【００５６】
各データストリームの符号化データは、ＯＦＤＭ技法を使用してパイロットデータで多重化され得る。パイロットデータは、典型的には、知られている方法で処理され、チャネル応答を推定するために受信機システムにおいて使用され得る知られているデータパターンである。次いで、各データストリームの多重化されたパイロットデータおよび符号化データは、変調シンボルを供給するために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、符号化、および変調は、プロセッサ４３０によって実行される命令によって判断され得る。データメモリ４３２は、フェムトノード４１０のプロセッサ４３０または他の構成要素によって使用されるプログラムコード、データおよび他の情報を記憶し得る。
【００５７】
次いで、すべてのデータストリームの変調シンボルがＴＸ  ＭＩＭＯプロセッサ４２０に供給され、ＴＸ  ＭＩＭＯプロセッサ４２０はさらに（たとえば、ＯＦＤＭ用に）その変調シンボルを処理し得る。次いで、ＴＸ  ＭＩＭＯプロセッサ４２０は、ＮＴ個の変調シンボルストリームをＮＴ個のトランシーバ（「ＸＣＶＲ」）４２２Ａ〜４２２Ｔに供給する。いくつかの態様では、ＴＸ  ＭＩＭＯプロセッサ４２０は、データストリームのシンボルと、シンボルの送信元のアンテナとにビームフォーミング重みを付加する。
【００５８】
各トランシーバ４２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。次いで、トランシーバ４２２Ａ〜４２２ＴからのＮＴ個の変調信号は、それぞれ、ＮＴ個のアンテナ４２４Ａ〜４２４Ｔから送信される。
【００５９】
フェムトノード４５０では、送信された変調信号はＮＲ個のアンテナ４５２Ａ〜４５２Ｒによって受信され、各アンテナ４５２からの受信信号は、それぞれのトランシーバ（「ＸＣＶＲ」）４５４Ａ〜４５４Ｒに供給される。各トランシーバ４５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００６０】
次いで、受信（「ＲＸ」）データプロセッサ４６０は、特定の受信機処理技法に基づいてＮＲ個のトランシーバ４５４からＮＲ個の受信シンボルストリームを受信し、処理して、ＮＴ個の「検出」シンボルストリームを与える。次いで、ＲＸデータプロセッサ４６０は、各検出シンボルストリームを復調し、デインターリーブし、復号して、データストリームに対するトラフィックデータを復元する。ＲＸデータプロセッサ４６０によって実行される処理は、フェムトノード４１０におけるＴＸ  ＭＩＭＯプロセッサ４２０およびＴＸデータプロセッサ４１４によって実行される処理を補足するものである。
【００６１】
プロセッサ４７０は、どのプリコーディング行列を使用すべきかを周期的に判断する（後述）。プロセッサ４７０は、行列インデックス部とランク値部とを備える逆方向リンクメッセージを作成する。データメモリ４７２は、フェムトノード４５０のプロセッサ４７０または他の構成要素によって使用されるプログラムコード、データおよび他の情報を記憶し得る。
【００６２】
逆方向リンクメッセージは、通信リンクおよび／または受信データストリームに関する様々なタイプの情報を備え得る。次いで、逆方向リンクメッセージはＴＸデータプロセッサ４３８によって処理される。また、ＴＸデータプロセッサ４３８は、データソース４３６からいくつかのデータストリームのトラフィックデータを受信する。変調器４８０はデータストリームを変調する。さらに、トランシーバ４５４Ａ〜４５４Ｒは、データストリームを調整し、データストリームをフェムトノード４１０に返送する。
【００６３】
フェムトノード４１０では、フェムトノード４５０からの変調信号がアンテナ４２４によって受信される。さらに、トランシーバ４２２は変調信号を調整する。復調器（「ＤＥＭＯＤ」）４４０は変調信号を復調する。ＲＸデータプロセッサ４４２は、復調された信号を処理し、フェムトノード４５０によって送信された逆方向リンクメッセージを抽出する。次いで、プロセッサ４３０は、ビームフォーミング重みを判断するためにどのプリコーディング行列を使用すべきかを判断する。さらに、プロセッサ４３０は、抽出されたメッセージを処理する。
【００６４】
さらに、フェムトノード４１０および／またはフェムトノード４５０は、本明細書で教示する干渉制御動作を実行する１つまたは複数の構成要素を備え得る。たとえば、干渉（「ＩＮＴＥＲ」）制御構成要素４９０は、フェムトノード４１０のプロセッサ４３０および／または他の構成要素と協働して、本明細書で教示する別のデバイス（たとえば、フェムトノード４５０）との間で信号を送信／受信し得る。同様に、干渉制御構成要素４９２は、フェムトノード４５０のプロセッサ４７０および／または他の構成要素と協働して、別のデバイス（たとえば、フェムトノード４１０）との間で信号を送信／受信し得る。各フェムトノード４１０および４５０について、記載の構成要素の２つ以上の機能が単一の構成要素によって提供され得ることを諒解されたい。たとえば、単一の処理構成要素が干渉制御構成要素４９０およびプロセッサ４３０の機能を提供し得る。さらに、単一の処理構成要素が干渉制御構成要素４９２およびプロセッサ４７０の機能を提供し得る。
【００６５】
ユーザゾーンリスト中に情報を記憶するいくつかの方法がある。図５Ａの方法５００は、ブロック５１０において開始し、フェムトノードについての１つまたは複数の通信インターフェースタイプを判断する。通信インターフェースは、たとえば、ｃｄｍａ２０００−１ｘインターフェース、ＨＲＰＤ（高速パケットデータ;High Rate Data Packet）インターフェース、ＬＴＥ（Ｌｏｎｇ  Ｔｅｒｍ  Ｅｖｏｌｕｔｉｏｎ）インターフェース、または上記で説明した他のインターフェースタイプの１つとすることができる。一実施形態では、フェムトノードは、複数の通信インターフェースを使用して通信することが可能である。したがって、一実施形態では、１つまたは複数の通信インターフェースタイプの判断は、ｃｄｍａ２０００−１ｘインターフェースおよびＬＴＥインターフェースなど、複数の通信インターフェースタイプの判断を含む。パイロット信号またはビーコン信号など、フェムトノードから受信した１つまたは複数の信号に基づいて判断を行うことができる。
【００６６】
次に、ブロック５２０において、判断された通信インターフェースタイプに関する情報をユーザゾーンリストに記憶する。ユーザゾーンは、特定のフェムトノードに関連付けられた１つまたは複数の基準である。「ユーザゾーン内に」あることを意味する、基準が満たされたとき、特定のフェムトノードを探索するようにＵＥをトリガすることができる。ユーザゾーンリストは、１つまたは複数のユーザゾーンに関する情報をもつデータ構造である。一実施形態では、ユーザゾーンリストは１つまたは複数のユーザゾーンファイル(user zone file)を含み、各ファイルは、特定のフェムトノードに関する情報と、フェムトノードに関連付けられた１つまたは複数のユーザゾーンに関する情報とを有する。各ユーザゾーンファイルは、特定のフェムトノードについて複数のユーザゾーンを記憶することができる。ユーザゾーンリストの特定の実施形態について、図１０〜図１６に関して以下で説明する。
【００６７】
ユーザゾーンは、たとえば、地理的エリアとすることができる。一実施形態では、特定のフェムトノードに関連付けられたユーザゾーンは、特定のフェムトノードの近くの地理的エリアである。より詳細には、ユーザゾーンの基準は、ＵＥがその地理的エリア内にあるかどうかである。一実施形態では、ユーザゾーンは、特定のフェムトノードに十分に近いので、地理的エリア内のＵＥがそのフェムトノードを検出することができる地理的エリアである。一実施形態では、ユーザゾーンは、特定のフェムトノードに十分に近いので、そのフェムトノードを探索する地理的エリア内のＵＥがフェムトノードを発見する可能性がある地理的エリアである。地理的エリアは、エリアの周りの多角形を定義する緯度および経度のセットとして、エリアの周りの円を定義する緯度経度ペアおよび半径として、または他の手段によって記憶され得る。
【００６８】
ユーザゾーンは、たとえば、無線周波数（ＲＦ）カバレージとすることができる。一実施形態では、特定のフェムトノードに関連付けられたユーザゾーンは、ネットワークまたはアクセスポイントのカバレージエリアである。より詳細には、ユーザゾーンの基準は、ＵＥが特定のネットワークまたはアクセスポイントのカバレージエリア内にあるかどうかである。ＵＥは、特定の識別情報を有するネットワークまたはアクセスポイントから信号を受信することによって、ＵＥが特定のネットワークまたはアクセスポイントのカバレージエリア内にあるかどうかを判断することができる。したがって、カバレージエリアは、ネットワーク識別情報、サブネット識別情報、アクセスポイント識別情報、またはＰＮオフセットとして記憶され得る。
【００６９】
ユーザゾーンは、たとえば、ＰＮオフセット位相差の範囲とすることができる。図５Ｂに、第１のマクロノード５６０および第２のマクロノード５７０のカバレージエリア内のＵＥ５８０を示す。図２に関して上記で説明したように、ＵＥ５８０は、第１のマクロノード５６０からの第１のＰＮオフセットと、第２のマクロノード５７０からの第２のＰＮオフセットとを周期的に受信することができる。
【００７０】
第１のマクロノード５６０と第２のマクロノード５７０とは同期させられる。したがって、光速が無限であるならば、ＵＥ５８０は、第１のＰＮオフセットと第２のＰＮオフセットとを同時に受信するであろう。しかしながら、光速は有限であり、ＵＥ５８０は、第１の伝搬時間後に第１のＰＮオフセットを受信し、第２の伝搬時間後に第２のＰＮオフセットを受信する。ＵＥ５８０が第１のマクロノード５６０と第２のマクロノード５７０とから等距離にあるのでなければ、２つの伝搬時間は異なることになる。ＵＥ５８０は、これらの伝搬時間の差を、受信したＰＮオフセットの位相差として判断することができる。
【００７１】
伝搬時間は概して距離に関係するので、特定の位相差は円錐曲線にほぼ対応し、位相差の範囲はエリアにほぼ対応する。したがって、一実施形態では、ユーザゾーンはこのエリアにほぼ対応する。特に、基準は、ＵＥ５８０が第１のマクロノード５６０のカバレージ内にあるかどうか、ＵＥ５８０が第２のマクロノード５７０のカバレージ内にあるかどうか、マクロノードから受信したＰＮオフセット間の位相差が特定の範囲内にあるかどうかである。別の実施形態では、ＰＮオフセット以外の他の基準信号が、ユーザゾーンを判断するために使用される。したがって、一実施形態では、ユーザゾーンは、２つの受信した基準信号間の時間差に関係する。
【００７２】
上述のように、判断された通信インターフェースタイプに関する情報をユーザゾーンリストに記憶する。一実施形態では、その情報は、複数の所定の通信インターフェースタイプのインジケータの場合と同様に記憶される。たとえば、一実施形態では、判断された通信タイプがｃｄｍａ２０００−１ｘである場合は「００００００００」がユーザゾーンリストまたはリストのユーザゾーンファイルに記憶され、判断された通信タイプがＨＲＰＤである場合は「０００００００１」が記憶される。一実施形態では、所定の通信インターフェースタイプは、ｃｄｍａ２０００−１ｘ、ＨＲＰＤ、ＧＳＭ、ＵＭＴＳ、ＵＭＢ、ＬＴＥ、およびＷｉＭＡＸ（または別のＷＷＡＮ［ワイヤレスワイドエリアネットワーク］インターフェースタイプ）を含む。
【００７３】
フェムトノードに関する情報をデータベースに記憶するいくつかの方法がある。一実施形態では、情報はユーザゾーンリストに記憶され、他の実施形態では、他のデータ構造が採用される。図６の方法６００は、ブロック６１０において開始し、フェムトノードを走査する。走査は、トリガに応答してＵＥによって行われ得る。トリガは、手動トリガか、または自動トリガとすることができる。たとえば、ＵＥは、フェムトノードを周期的に走査するように構成され得る。別の例として、図９に関して以下で説明するように、ＵＥは、ＵＥがユーザゾーン内にあると判断されたときに、フェムトノードを走査するように構成され得る。
【００７４】
次に、ブロック６２０において、フェムトノードが発見されたか否かを判断する。フェムトノードが発見されなかった場合、プロセス６００は終了する。本明細書で説明する各フローチャートは、ＵＥまたは他のデバイスが実行するように構成され得る方法の一部分にすぎないことを諒解されたい。したがって、フェムトノードが発見されなかったと判断された場合、プロセス６００は終了するが、これは、ＵＥが機能しなくなるか、他の方法を実行することを阻止されるか、または方法を繰り返すことができないことを意味すると解釈すべきではない。
【００７５】
フェムトノードが発見されたと判断された場合、プロセス６００はブロック６３０に進み、フェムトノードの１つまたは複数の通信インターフェースタイプを判断する。ブロック６２０において、ビーコン信号またはパイロット信号など、信号がフェムトノードから受信された場合、フェムトノードが発見されたと判断する。一実施形態では、ブロック６３０において、フェムトノードから受信した（１つまたは複数の）信号に基づいて、１つまたは複数の通信インターフェースタイプを判断する。
【００７６】
ブロック６４０に進むと、フェムトノードの１つまたは複数のユーザゾーンを判断する。上記で説明したように、ユーザゾーンは、地理ベースであるか、ＲＦカバレージベースであるか、または他の基準に基づくことができる。たとえば、他の基準は時間を含むことができる。コーヒーショップなどの企業によって運用されるフェムトノードは、業務時間中にのみ動作可能であることがある。別の例として、他の基準は、ＵＥの電力ステータスを含むことができる。ＵＥは、フルまたは高バッテリーステータスを有する場合、第２のユーザゾーンよりも広い第１のユーザゾーン内にあり得る。ＵＥは、低バッテリーステータスを有する場合、第２のユーザゾーン内のみにあり得る。
【００７７】
各ユーザゾーンは、ＵＥの現在の状態に基づいて判断され得る。たとえば、地理的エリアユーザゾーンは、ＵＥの現在のロケーションに基づくことができる。同様に、ＲＦカバレージユーザゾーンは、ＵＥによって受信されるＲＦカバレージに基づくことができる。
【００７８】
次に、ブロック６５０において、フェムトノードの通信インターフェースタイプとユーザゾーンとに関する情報をデータベースに記憶する。特に、フェムトノードの通信インターフェースタイプと、フェムトノードのユーザゾーンとは、それらが互いに関連付けられるようにデータ構造に記憶される。一実施形態では、データ構造は、複数のユーザゾーンファイルを有するユーザゾーンリストである。各ユーザゾーンファイルは、フェムトノードの通信インターフェースタイプとフェムトノードに関連付けられた１つまたは複数のユーザゾーンとを含む、フェムトノードに関する情報を含んでいるデータ構造である。
【００７９】
図７の方法７００は、ブロック７１０において開始し、フェムトノードを走査する。走査は、トリガに応答してＵＥによって行われ得る。トリガは、手動トリガか、または自動トリガとすることができる。たとえば、ＵＥは、フェムトノードを周期的に走査するように構成され得る。別の例として、図９に関して以下で説明するように、ＵＥは、ＵＥがユーザゾーン内にあると判断されたときに、フェムトノードを走査するように構成され得る。
【００８０】
次に、ブロック７２０において、フェムトノードが発見されたか否かを判断する。フェムトノードが発見されなかった場合、プロセス７００は終了する。フェムトノードが発見されたと判断された場合、プロセス７００はブロック７３０に進み、フェムトノードの１つまたは複数の通信インターフェースタイプを判断する。ブロック７２０において、ビーコン信号またはパイロット信号など、信号がフェムトノードから受信された場合、フェムトノードが発見されたと判断する。一実施形態では、ブロック７３０において、フェムトノードから受信した（１つまたは複数の）信号に基づいて、１つまたは複数の通信インターフェースタイプを判断する。
【００８１】
ブロック７４２に進むと、フェムトノードの第１のユーザゾーンを判断する。次に、ブロック７４４において、フェムトノードの第２のユーザゾーンを判断する。連続的に説明したが、ブロック７４２および７４４に関して説明した行為は連続的に、逆に、並行して、または同時に実行できることを諒解されたい。
【００８２】
上記で説明したように、ユーザゾーンはＲＦカバレージに基づくことができる。一実施形態では、ＲＦカバレージに基づくユーザゾーンは、ＲＦカバレージの通信インターフェースタイプに関連付けられる。たとえば、一実施形態では、第１のユーザゾーンは、ｃｄｍａ２０００−１ｘアクセスポイントのカバレージエリアである。したがって、第１のユーザゾーンの通信インターフェースタイプはｃｄｍａ２０００−１ｘである。別の実施形態では、第２のユーザゾーンは、ＨＲＰＤサブネットのカバレージエリアである。したがって、第２のユーザゾーンの通信インターフェースタイプはＨＲＰＤである。
【００８３】
一実施形態では、第１のユーザゾーンは第１の通信インターフェースタイプを有し、第２のユーザゾーンは第１の通信インターフェースタイプとは異なる第２のユーザゾーン通信インターフェースタイプを有する。各通信インターフェースタイプは、複数の所定の通信インターフェースタイプのうちの１つの指示の場合と同様に記憶され得る。
【００８４】
図７には示されていないが、方法７００はまた、地理または時間に基づくユーザゾーンなど、通信インターフェースタイプ以外のユーザゾーンを含む、追加のユーザゾーンを判断することを含むことができる。
【００８５】
ブロック７５０に進むと、フェムトノードの通信インターフェースタイプとユーザゾーン（およびそれらの通信タイプ）に関する情報をデータベースに記憶する。特に、フェムトノードの通信インターフェースタイプとフェムトノードのユーザゾーン（およびそれらの通信タイプ）とは、それらが互いに関連付けられるようにデータ構造に記憶される。一実施形態では、データ構造は、複数のユーザゾーンファイルを有するユーザゾーンリストである。各ユーザゾーンファイルは、フェムトノードの通信インターフェースタイプとフェムトノードに関連付けられた１つまたは複数のユーザゾーンとを含む、フェムトノードに関する情報を含んでいるデータ構造である。第１のユーザゾーン通信インターフェースタイプおよび第２のユーザゾーン通信インターフェースタイプの両方は、それぞれ第１のユーザゾーンおよび第２のユーザゾーンに関連付けられて記憶される。
【００８６】
図８の方法８００は、ブロック８００において開始し、フェムトノードを走査する。走査は、トリガに応答してＵＥによって行われ得る。トリガは、手動トリガか、または自動トリガとすることができる。たとえば、ＵＥは、フェムトノードを周期的に走査するように構成され得る。別の例として、図９に関して以下で説明するように、ＵＥは、ＵＥがユーザゾーン内にあると判断されたときに、フェムトノードを走査するように構成され得る。
【００８７】
次に、ブロック８２０において、フェムトノードが発見されたか否かを判断する。フェムトノードが発見されなかった場合、プロセス８００は終了する。フェムトノードが発見されたと判断された場合、プロセス８００はブロック８３２に進み、フェムトノードの第１の通信インターフェースタイプを判断し、ブロック８３４に進み、フェムトノードの第２の通信インターフェースタイプを判断する。連続的に説明したが、ブロック８３２および８３４に関して説明した行為は連続的に、逆に、並行して、または同時に実行できることを諒解されたい。
【００８８】
ブロック８２０において、ビーコン信号またはパイロット信号など、信号がフェムトノードから受信された場合、フェムトノードが発見されたと判断する。一実施形態では、フェムトノードから受信した（１つまたは複数の）信号に基づいて、ブロック８３２および８３４において、第１の通信インターフェースタイプおよび第２の通信インターフェースタイプを判断する。たとえば、信号は、フェムトノードが第１の通信インターフェースと第２の通信インターフェースとを使用して通信するように構成されていることを示すことができる。たとえば、フェムトノードは、３Ｇ通信インターフェースとＷｉＦｉ通信インターフェースとを使用して通信するように構成され得る。別の例として、フェムトノードは、ｃｄｍａ２０００−１ｘ通信インターフェースとＨＲＰＤ通信インターフェースとを使用して通信するように構成され得る。
【００８９】
ブロック８４０に進むと、フェムトノードの１つまたは複数のユーザゾーンを判断する。上記で説明したように、ユーザゾーンは、地理ベースであるか、ＲＦカバレージベースであるか、または他の基準に基づくことができる。各ユーザゾーンは、ＵＥの現在の状態に基づいて判断され得る。たとえば、地理的エリアユーザゾーンは、ＵＥの現在のロケーションに基づくことができる。同様に、ＲＦカバレージユーザゾーンは、ＵＥによって受信されるＲＦカバレージに基づくことができる。
【００９０】
ブロック８５０に進むと、フェムトノードの通信インターフェースタイプとユーザゾーンとに関する情報をデータベースに記憶する。特に、フェムトノードの通信インターフェースタイプと、フェムトノードのユーザゾーンとは、それらが互いに関連付けられるようにデータ構造に記憶される。
【００９１】
一実施形態では、データ構造は、複数のユーザゾーンファイルを有するユーザゾーンリストである。各ユーザゾーンファイルは、フェムトノードの通信インターフェースタイプとフェムトノードに関連付けられた１つまたは複数のユーザゾーンとを含む、フェムトノードに関する情報を含んでいるデータ構造である。一実施形態では、フェムトノードの２つの通信インターフェースタイプが判断されると、２つの別々のユーザゾーンファイルが記憶される。したがって、一実施形態では、第１の通信インターフェースタイプとユーザゾーンとを含む、フェムトノードに関する情報を含んでいる第１のユーザゾーンファイルが記憶され、第２の通信インターフェースタイプとユーザゾーンとを含む、フェムトノードに関する情報を含んでいる第２のユーザゾーンファイルが記憶される。これは、データを冗長に保存する可能性があり、かなりのメモリヒットになり得る。
【００９２】
一実施形態では、第１の通信インターフェースタイプとユーザゾーンとを含む、フェムトノードに関する情報を含んでいる第１のユーザゾーンファイルが記憶され、第１のユーザゾーンファイル中のフェムトノードに関する情報への参照と、第２の通信インターフェースタイプと、第１のユーザゾーンファイル中のユーザゾーンへの参照とを含んでいる第２のユーザゾーンファイルが記憶される。
【００９３】
特定のフェムトノードの位置特定と、そのフェムトノードとの後続の通信とを可能にするために、ユーザゾーンリストまたは他のデータ構造が使用され得る。図９の方法９００は、ブロック９１０において開始し、デバイスがユーザゾーン内にあるかどうかを判断する。上述のように、本明細書では「ユーザゾーン内」という句を使用するが、ゾーンは、地理的ゾーンではないことがあり、特定のロケーションを指していないことがあり、むしろ、ユーザゾーンは１つまたは複数の基準のセットであり、「ユーザゾーン内」という句は、その基準が満たされていることを意味することを諒解されたい。その基準は、地理または他の基準に基づくことができる。１つまたは複数が地理に基づき、１つまたは複数が他のファクタに基づく、複数の基準によって、ユーザゾーンが定義され得る。
【００９４】
一実施形態では、デバイスが特定の地理的エリア内にある場合、デバイスはユーザゾーン内にあると判断される。一実施形態では、デバイスが特定のネットワーク、サブネット、基地局、またはアクセスポイントから信号を受信している場合、デバイスはユーザゾーン内にあると判断される。一実施形態では、ＰＮオフセット位相差が特定の範囲内である場合、デバイスはユーザゾーン内にあると判断される。
【００９５】
次に、ブロック９２０において、デバイスがユーザゾーン内にないと判断された場合は、方法９００はブロック９１０に戻る。他の場合は、方法９００はブロック９３０に続き、走査を実行し、ユーザゾーンに関連するフェムトノードを探索する。その探索は、ユーザゾーンリストに記憶されたユーザゾーンファイル中の、ユーザゾーンに関連するフェムトノードに関する追加情報によって、簡略化され得る。
【００９６】
例示的なユーザゾーンリスト１０００について、図１０に関して説明する。ユーザゾーンリスト１０００は、メモリまたは他のコンピュータ可読媒体に記憶され得る。ユーザゾーンリスト１０００は、ユーザゾーンリストヘッダ１０１０と、１つまたは複数のユーザゾーンファイル１０２０とを含んでいる。ユーザゾーンリストヘッダは、ユーザゾーンリスト関する情報、またはすべてのユーザゾーンファイル１０２０に共通の他の情報を含んでいる。各ユーザゾーンファイル１０３０は、以下でより十分に説明するように、ユーザゾーンサブヘッダ１０３２と、フェムトノード説明１０３４と、ユーザゾーン説明１０３６とを含んでいる。
【００９７】
例示的なユーザゾーンファイル１０３０について、図１１に関して説明する。ユーザゾーンファイル１０３０は、メモリまたは他のコンピュータ可読媒体に記憶され得る。ユーザゾーンファイル１０３０は、ユーザゾーンリスト中の他のユーザゾーンファイルとともに記憶され得る。上述のように、ユーザゾーンファイル１０３０はユーザゾーンサブヘッダ１０３２を含む。一実施形態では、ユーザゾーンサブヘッダ１０３２は、ＲＥＣ＿ＬＥＮＧＴＨフィールド１１０２と、ＰＲＥＦ＿ＮＥＧフィールド１１０４と、ＳＹＳＴＥＭ＿ＩＮＦＯ＿ＬＥＮＧＴＨフィールド１１０６とを含む。
【００９８】
ＲＥＣ＿ＬＥＮＧＴＨフィールド１１０２は、ユーザゾーンファイル１０３０の全長に関する情報を記憶する。一実施形態では、ＲＥＣ＿ＬＥＮＧＴＨフィールド１１０２は、ＲＥＣ＿ＬＥＮＧＴＨフィールド１１０２を含む、オクテットでの記録の全長に設定される。一実施形態では、ＲＥＣ＿ＬＥＮＧＴＨフィールドは１６ビットである。
【００９９】
ＰＲＥＦ＿ＮＥＧフィールド１１０４は、特定のモバイルデバイスが、ユーザゾーンファイル１０３０に関連するフェムトノード上で動作することを許されているか否かに関する情報を記憶する。一実施形態では、ＰＲＥＦ＿ＮＥＧフィールド１１０４は単一ビットである。一実施形態では、ＰＲＥＦ＿ＮＥＧフィールド１１０４は、ＵＥがフェムトノード上で動作することを許されている場合は「１」に設定され、ＵＥがフェムトノード上で動作することを許されていない場合は「０」に設定される。一実施形態では、ＰＲＥＦ＿ＮＥＧフィールド１１０４が「０」に設定されたユーザゾーンファイル１０３０の作成および構成は、システムオペレータの制御下にあり、システムオペレータポリシーに従わなければならない。
【０１００】
ＳＹＳＴＥＭ＿ＩＮＦＯ＿ＬＥＮＧＴＨフィールド１１０６は、フェムトノード説明１０３４の長さに関する情報を記憶する。一実施形態では、ＳＹＳＴＥＭ＿ＩＮＦＯ＿ＬＥＮＧＴＨフィールド１１０６は、ＳＹＳＴＥＭ＿ＩＮＦＯ＿ＬＥＮＧＴＨフィールド１１０６から開始するフィールドであって、ＳＹＳＴＥＭ＿ＩＮＦＯ＿ＬＥＮＧＴＨフィールド１１０６を含み、フェムトノード説明１０３４内にあるものとして以下で説明するフィールドを含む、フィールドのオクテットでの長さを記憶する。一実施形態では、ＳＹＳＴＥＭ＿ＩＮＦＯ＿ＬＥＮＧＴＨフィールド１１０６は８ビットである。
【０１０１】
上述のように、ユーザゾーンファイル１０３０はフェムトノード説明１０３４を含む。一実施形態では、フェムトノード説明１０３４は、ＳＹＳ＿ＴＹＰＥフィールド１１０８と、ＳＹＳ＿ＩＮＦＯフィールド１１１０と、ＡＰ＿ＩＤ＿ＩＮＣＬＵＤＥＤフィールド１１１２と、ＡＰ＿ＩＤ＿ＭＡＳＫ＿ＬＥＮＧＴＨフィールド１１１４と、ＡＰ＿ＩＤ＿ＭＳＢフィールド１１１６と、ＡＰ＿ＩＤ＿ＴＥＸＴ＿ＩＮＣＬＵＤＥＤフィールド１１１８と、ＡＰ＿ＩＤ＿ＴＥＸＴ＿ＬＥＮＧＴＨフィールド１１２０と、ＡＰ＿ＩＤ＿ＴＥＸＴフィールド１１２２と、ＳＥＲＶＩＣＥ＿ＣＡＰ＿ＩＮＦＯ＿ＩＮＣＬＵＤＥＤフィールド１１２４と、ＳＥＲＶＩＣＥ＿ＣＡＰ＿ＩＮＦＯフィールド１１２６と、ＬＡＴ＿ＬＯＮＧ＿ＩＮＣＬＵＤＥＤフィールド１１２８と、ＬＡＴＩＴＵＤＥフィールド１１３０と、ＬＯＮＧＩＴＵＤＥフィールド１１３２と、ＨＥＩＧＨＴ＿ＩＮＣＬＵＤＥＤフィールド１１３４と、ＨＥＩＧＨＴフィールド１１３６と、ＡＣＱ＿ＴＹＰＥフィールド１１３８と、ＡＣＱ＿ＩＮＦＯフィールド１１４０と、ＡＳＳＯＣＩＡＴＥＤ＿ＨＲＰＤフィールド１１４２とを含む。
【０１０２】
ＳＹＳ＿ＴＹＰＥフィールド１１０８は、フェムトノードの通信インターフェースタイプに関する情報を記憶する。一実施形態では、ＳＹＳ＿ＴＹＰＥフィールド１１０８は８ビットである。一実施形態では、ＳＹＳ＿ＴＹＰＥフィールド１１０８は、通信インターフェースタイプがｃｄｍａ２０００−１ｘである場合は「００００００００」に設定され、ＳＹＳ＿ＴＹＰＥフィールド１１０８は、通信インターフェースタイプがＨＲＰＤである場合は「０００００００１」に設定される。
【０１０３】
ＳＹＳ＿ＩＮＦＯフィールド１１１０は、ＳＹＳ＿ＴＹＰＥフィールド１１０８の値に応じて別様に構造化される。例示的な構造については、図１２および図１３に関して以下で説明する。
【０１０４】
ＡＰ＿ＩＤ＿ＩＮＣＬＵＤＥＤフィールド１１１２は、含まれるアクセスポイントに関する、以下で説明する情報などの情報をユーザゾーンファイル１０３０が含むか否かに関する情報を記憶する。一実施形態では、ＡＰ＿ＩＤ＿ＩＮＣＬＵＤＥＤフィールド１１１２は単一ビットである。一実施形態では、ＡＰ＿ＩＤ＿ＩＮＣＬＵＤＥＤフィールド１１１２は、情報が含まれる場合は「１」に設定され、情報が含まれない場合は「０」に設定される。
【０１０５】
ＡＰ＿ＩＤ＿ＭＡＳＫ＿ＬＥＮＧＴＨフィールド１１１４は、アクセスポイントのグループまたは単一のアクセスポイントを識別することができるビット数に関する情報を記憶する。一実施形態では、ＡＰ＿ＩＤ＿ＭＡＳＫ＿ＬＥＮＧＴＨフィールド１１１４は、アクセスポイント識別情報（ＡＰ＿ＩＤ）の（最上位ビットから開始する）連続ビット数を指定する。一実施形態では、ＡＰ＿ＩＤ＿ＭＡＳＫ＿ＬＥＮＧＴＨはオーバーヘッドシグナリングメッセージにおいて送信される。一実施形態では、ＡＰ＿ＩＤ＿ＭＡＳＫ＿ＬＥＮＧＴＨフィールド１１１４は８ビットである。ただし、ＡＰ＿ＩＤ＿ＩＮＣＬＵＤＥＤフィールド１１１２が「０」に設定された場合、ＡＰ＿ＩＤ＿ＭＡＳＫ＿ＬＥＮＧＴＨフィールド１１１４は除外され、すなわち、ゼロビットである。
【０１０６】
ＡＰ＿ＩＤ＿ＭＳＢフィールド１１１６は、アクセスポイント識別情報の最上位ビットに関する情報を記憶する。ＡＰ＿ＩＤ＿ＭＳＢフィールド１１１６は、ＡＰ＿ＩＤ＿ＭＡＳＫ＿ＬＥＮＧＴＨフィールド１１１４中で指定されたのと同数のビットであり、ＡＰ＿ＩＤ＿ＭＳＢフィールド１１１６中の情報は、アクセスポイントのグループまたは単一のアクセスポイントを識別するのに十分である。ＡＰ＿ＩＤ＿ＭＡＳＫ＿ＬＥＮＧＴＨフィールド１１１４がＡＰ＿ＩＤの長さに設定された場合、ＡＰ＿ＩＤ＿ＭＳＢフィールド１１１６はＡＰ＿ＩＤに等しいことを諒解されたい。
【０１０７】
ＡＰ＿ＩＤ＿ＴＥＸＴ＿ＩＮＣＬＵＤＥＤフィールド１１１８は、識別情報自体以外のアクセスポイントに関する、以下で説明する情報などの情報をユーザゾーンファイル１０３０が含む否かに関する情報を記憶する。一実施形態では、ＡＰ＿ＩＤ＿ＴＥＸＴ＿ＩＮＣＬＵＤＥＤフィールド１１１８は単一ビットである。一実施形態では、ＡＰ＿ＩＤ＿ＴＥＸＴ＿ＩＮＣＬＵＤＥＤフィールド１１１８は、情報が含まれる場合は「１」に設定され、情報が含まれない場合は「０」に設定される。
【０１０８】
ＡＰ＿ＩＤ＿ＴＥＸＴ＿ＬＥＮＧＴＨフィールド１１２０は、ＡＰ＿ＩＤ＿ＴＥＸＴフィールド１１２２が含まれる場合、ＡＰ＿ＩＤ＿ＴＥＸＴフィールド１１２２の長さに関する情報を記憶する。一実施形態では、ＡＰ＿ＩＤ＿ＴＥＸＴ＿ＬＥＮＧＴＨ１１２０フィールドは、ＡＰ＿ＩＤ＿ＴＥＸＴフィールド１１２２中のオクテット数に設定される。アクセスポイントテキスト情報が除外されることをＡＰ＿ＩＤ＿ＴＥＸＴ＿ＩＮＣＬＵＤＥＤフィールド１１１８が示す場合、ＡＰ＿ＩＤ＿ＴＥＸＴ＿ＬＥＮＧＴＨフィールド１１２０（およびＡＰ＿ＩＤ＿ＴＥＸＴフィールド１１２２）は除外される。
【０１０９】
ＡＰ＿ＩＤ＿ＴＥＸＴフィールド１１２２は、概してアクセスポイントに関する情報を与える。ＡＰ＿ＩＤ＿ＴＥＸＴフィールド１１２２は、いくつかのサブフィールドを含むことができる。一実施形態では、ＡＰ＿ＩＤ＿ＴＥＸＴフィールド１１２２は、ＭＳＧ＿ＥＮＣＯＤＩＮＧサブフィールドと、ＮＵＭ＿ＦＩＥＬＤＳサブフィールドと、１つまたは複数のＣＨＡＲｉサブフィールドと、ＲＥＳＥＲＶＥＤサブフィールドとを含む。一実施形態では、ＭＳＧ＿ＥＮＣＯＤＩＮＧサブフィールドは、メッセージ符号化に関する情報を記憶する。符号化方法のサポートは、符号化可能な文字セット全体がサポートされる必要があることを必ずしも暗示しないことを諒解されたい。概して、サポートされる文字セットが決定されると、その文字セットのうちの様々なサブセットがサポートされ得る。あるメッセージが、完全に、文字セットのうちのサポートされるサブセットからの文字から構成される場合、そのメッセージは表示され得る。あるメッセージが、文字セットのうちの１つまたは複数のサポートされていない文字を含んでいる場合、それらの文字は廃棄され得る。一実施形態では、ＮＵＭ＿ＦＩＥＬＤＳサブフィールドは、ＣＨＡＲｉサブフィールドの数に関する情報を記憶する。一実施形態では、ＭＳＧ＿ＥＮＣＯＤＩＮＧサブフィールドが、シフトＪＩＳを示す「００１０１」、または韓国語を示す「００１１０」に設定された場合、ＮＵＭ＿ＦＩＥＬＤＳサブフィールドは、ＣＨＡＲｉサブフィールドのオクテットでの全長に設定される。一実施形態では、各ＣＨＡＲｉサブフィールドは、１つまたは複数の文字に関する情報を記憶する。したがって、ＣＨＡＲｉサブフィールドは、基地局を識別する文字列を作成することができる。一実施形態では、ＡＰ＿ＩＤ＿ＴＥＸＴフィールド１１２２のビット数が整数個のオクテットになるように、ＲＥＳＥＲＶＥＤビットが追加される。一実施形態では、すべてのＲＥＳＥＲＶＥＤビットが「０」に設定される。
【０１１０】
ＳＥＲＶＩＣＥ＿ＣＡＰ＿ＩＮＦＯ＿ＩＮＣＬＵＤＥＤフィールド１１２４は、サービス能力情報がユーザゾーンファイル１０３０中に含まれるかどうかに関する情報を記憶する。一実施形態では、ＳＥＲＶＩＣＥ＿ＣＡＰ＿ＩＮＦＯ＿ＩＮＣＬＵＤＥＤフィールド１１２４は単一ビットである。一実施形態では、ＳＥＲＶＩＣＥ＿ＣＡＰ＿ＩＮＦＯ＿ＩＮＣＬＵＤＥＤフィールド１１２４は、情報が含まれる場合は「１」に設定され、情報が含まれない場合は「０」に設定される。
【０１１１】
ＳＥＲＶＩＣＥ＿ＣＡＰ＿ＩＮＦＯフィールド１１２６は、フェムトノードとＵＥとのサービス能力に関する情報を記憶する。一実施形態では、ＳＥＲＶＩＣＥ＿ＣＡＰ＿ＩＮＦＯフィールド１１２６は３２ビットである。一実施形態では、ＳＥＲＶＩＣＥ＿ＣＡＰ＿ＩＮＦＯ＿ＩＮＣＬＵＤＥＤフィールド１１２４が「０」に設定された場合、ＳＥＲＶＩＣＥ＿ＣＡＰ＿ＩＮＦＯフィールド１１２６は除外され、すなわち、ゼロビットである。
【０１１２】
ＬＡＴ＿ＬＯＮＧ＿ＩＮＣＬＵＤＥＤフィールド１１２８は、緯度および経度がユーザゾーンファイル１０３０中に含まれるかどうかに関する情報を記憶する。一実施形態では、ＬＡＴ＿ＬＯＮＧ＿ＩＮＣＬＵＤＥＤフィールド１１２８は単一ビットである。一実施形態では、ＬＡＴ＿ＬＯＮＧ＿ＩＮＣＬＵＤＥＤフィールド１１２８は、情報が含まれる場合は「１」に設定され、情報が含まれない場合は「０」に設定される。
【０１１３】
ＬＡＴＩＴＵＤＥフィールド１１３０は、緯度に関する情報を記憶する。一実施形態では、ＬＡＴＩＴＵＤＥフィールド１１３０は、フェムトノードの緯度に関する情報を記憶する。一実施形態では、ＬＡＴＩＴＵＤＥフィールド１１３０は、２３ビットであり、緯度を０．２５秒単位で符号付き２の補数として表し、正数が北緯を表し、負数が南緯を表す。一実施形態では、−９０°と＋９０°の範囲に対応する値−１２９６０００以上１２９６０００以下が有効である。
【０１１４】
ＬＯＮＧＩＴＵＤＥフィールド１１３２は、経度に関する情報を記憶する。一実施形態では、ＬＯＮＧＩＴＵＤＥフィールド１１３２は、フェムトノードの経度に関する情報を記憶する。一実施形態では、ＬＯＮＧＩＴＵＤＥフィールド１１３２は、２４ビットであり、経度を０．２５秒単位で符号付き２の補数として表し、正数が東経を表し、負数が西経を表す。一実施形態では、−１８０°と＋１８０°の範囲に対応する値−２５９２０００以上２５９２０００以下が有効である。
【０１１５】
ＨＥＩＧＨＴ＿ＩＮＣＬＵＤＥＤフィールド１１３４は、高さがユーザゾーンファイル１０３０中に含まれるかどうかに関する情報を記憶する。一実施形態では、ＨＥＩＧＨＴ＿ＩＮＣＬＵＤＥＤフィールド１１３４は単一ビットである。一実施形態では、ＨＥＩＧＨＴ＿ＩＮＣＬＵＤＥＤフィールド１１３４は、情報が含まれる場合は「１」に設定され、情報が含まれない場合は「０」に設定される。
【０１１６】
ＨＥＩＧＨＴフィールド１１３６は、高さに関する情報を記憶する。一実施形態では、ＨＥＩＧＨＴフィールド１１３６は、フェムトノードの高さに関する情報を記憶する。一実施形態では、ＨＥＩＧＨＴフィールド１１３６は、１６ビットであり、−５００ｍから１５８８３ｍまでの範囲で、１メートル単位で、ＷＧＳ−８４準拠楕円体上の高さに設定された符号付き２の補数値を表す。
【０１１７】
ＡＣＱ＿ＴＹＰＥフィールド１１３８は、収集タイプに関する情報を記憶する。一実施形態では、ＡＣＱ＿ＴＹＰＥフィールド１１３８は８ビットである。一実施形態では、ＡＣＱ＿ＴＹＰＥフィールドは、収集タイプがｃｄ２０００−１ｘまたはＨＲＰＤである場合、「００００００００」に設定される。
【０１１８】
ＡＣＱ＿ＩＮＦＯフィールド１１４０は、ＡＣＱ＿ＴＹＰＥフィールド１１３８の値に応じて別様に構造化される。例示的な構造については、図１４に関して以下で説明する。
【０１１９】
ＡＳＳＯＣＩＡＴＥＤ＿ＨＲＰＤフィールド１１４２は、関連するユーザゾーンファイルに関する情報を記憶する。図８に関して上記で説明したように、フェムトノードは、複数の通信インターフェースタイプを有し、複数のファイルに記憶された各通信インターフェースタイプに関する情報を有することができる。一実施形態では、ＳＹＳ＿ＴＹＰＥフィールド１１０８がｃｄｍａ２０００−１ｘ（「００００００００」）に設定され、利用可能な関連するＨＲＰＤシステムがあるとき、ＡＳＳＯＣＩＡＴＥＤ＿ＨＲＰＤフィールド１１４２は、関連するＨＲＰＤシステムのユーザゾーンファイルを識別するＵＺ＿ＩＤとＵＺ＿ＳＩＤとを備える３１ビットフィールドに設定される。一実施形態では、ＳＹＳ＿ＴＹＰＥフィールド１１０８がＨＲＰＤ（「０００００００１」）に設定されたとき、ＡＳＳＯＣＩＡＴＥＤ＿ＨＲＰＤフィールド１１４２は含まれない。
【０１２０】
上述のように、ユーザゾーンファイル１０３０はユーザゾーン説明１０３６を含む。一実施形態では、ユーザゾーン説明１０３６は、ＵＳＥ＿ＡＳＳＯＣＩＡＴＥＤ＿ＵＺ＿ＲＦ＿ＧＥＯ＿ＩＮＦＯフィールド１１４３と、ＮＵＭ＿ＵＺ＿ＲＦ＿ＴＹＰＥＳフィールド１１４４と、１つまたは複数のＵＺ＿ＲＦ＿ＴＹＰＥフィールド１１４６と、１つまたは複数のＵＺ＿ＲＦ＿ＩＮＦＯフィールド１１４８と、ＮＵＭ＿ＧＥＯ＿ＴＹＰＥ＿ＳＰＥＣＩＦＩＣ＿ＦＩＥＬＤＳフィールド１１５０と、１つまたは複数のＧＥＯ＿ＴＹＰＥ＿ＳＰＥＣＩＦＩＣ＿ＦＩＥＬＤフィールド１１５２とを含む。
【０１２１】
ＵＳＥ＿ＡＳＳＯＣＩＡＴＥＤ＿ＵＺ＿ＲＦ＿ＧＥＯ＿ＩＮＦＯフィールド１１４３は、関連するユーザゾーンファイルからのユーザゾーン情報が使用されるべきかどうかに関する情報を記憶する。一実施形態では、ＵＳＥ＿ＡＳＳＯＣＩＡＴＥＤ＿ＵＺ＿ＲＦ＿ＧＥＯ＿ＩＮＦＯフィールド１１４３は単一ビットである。
【０１２２】
一実施形態では、ＳＹＳ＿ＴＹＰＥフィールド１１０８がｃｄｍａ２０００−１ｘを示す第１のユーザゾーンファイルのＡＳＳＯＣＩＡＴＥＤ＿ＨＲＰＤフィールド１１４２は、ＳＹＳ＿ＴＹＰＥフィールド１１０８がＨＲＰＤを示す第２のユーザゾーンファイルを参照する。第２のユーザゾーンファイル内で、ＵＳＥ＿ＡＳＳＯＣＩＡＴＥＤ＿ＵＺ＿ＲＦ＿ＧＥＯ＿ＩＮＦＯフィールド１１４３が「１」に設定された場合、第１のユーザゾーンファイルからの情報は使用される。特に、第１のユーザゾーンファイルからの（以下で説明する）ＵＺ＿ＲＦ＿ＴＹＰＥフィールド１１４６およびＧＥＯ＿ＴＹＰＥ＿ＳＰＥＣＩＦＩＣ＿ＦＩＥＬＤフィールド１１５２の情報は、その情報が第２のユーザゾーンファイル中にあるかのように使用される。第２のユーザゾーンファイル内で、ＵＳＥ＿ＡＳＳＯＣＩＡＴＥＤ＿ＵＺ＿ＲＦ＿ＧＥＯ＿ＩＮＦＯフィールド１１４３が「０」に設定された場合、第１のユーザゾーンファイルからの情報は使用されない。１つまたは複数のＵＺ＿ＲＦ＿ＴＹＰＥフィールド１１４６およびＧＥＯ＿ＴＹＰＥ＿ＳＰＥＣＩＦＣ＿ＦＩＥＬＤフィールド１１５２は暫定的であり得る。一実施形態では、ＳＹＳ＿ＴＹＰＥフィールド１１０８がｃｄｍａ２０００−１ｘに設定されたユーザゾーンファイルの場合、ＵＳＥ＿ＡＳＳＯＣＩＡＴＥＤ＿ＵＺ＿ＲＦ＿ＧＥＯ＿ＩＮＦＯは「０」に設定される。
【０１２３】
ＮＵＭ＿ＵＺ＿ＲＦ＿ＴＹＰＥＳフィールド１１４４は、ファイル内に記憶されたＲＦカバレージベースのユーザゾーンの数に関する情報を記憶する。一実施形態では、ＮＵＭ＿ＵＺ＿ＲＦ＿ＴＹＰＥＳフィールド１１４４は４ビットである。
【０１２４】
ユーザゾーンファイル１０３０は、１つまたは複数のＵＺ＿ＲＦ＿ＴＹＰＥフィールド１１４６を有することができる。一実施形態では、ユーザゾーンファイル１０３０は、ＮＵＭ＿ＵＺ＿ＲＦ＿ＴＹＰＥＳフィールド１１４４中で指定された数のＵＺ＿ＲＦ＿ＴＹＰＥフィールド１１４６を有する。各ＵＺ＿ＲＦ＿ＴＹＰＥフィールド１１４６は、ユーザゾーンが定義されたカバレージの通信インターフェースタイプに関する情報を記憶する。一実施形態では、各ＵＺ＿ＲＦ＿ＴＹＰＥフィールド１１４６は８ビットである。一実施形態では、ＵＺ＿ＲＦ＿ＴＹＰＥフィールド１１４６は、通信インターフェースタイプがｃｄｍａ２０００−１ｘである場合は「００００００００」に設定され、ＵＺ＿ＲＦ＿ＴＹＰＥフィールド１１４６は、通信インターフェースタイプがＨＲＰＤである場合は「０００００００１」に設定される。少なくとも１つの、または１つまたは複数のＵＺ＿ＲＦ＿ＴＹＰＥフィールド１１４６はＳＹＳ＿ＴＹＰＥフィールド１１０８とは異なることがあることを諒解されたい。
【０１２５】
各ＵＺ＿ＲＦ＿ＴＹＰＥフィールド１４６はＵＺ＿ＲＦ＿ＩＮＦＯフィールド１１４８に関連する。ＵＺ＿ＲＦ＿ＩＮＦＯフィールド１１４８は、ＵＺ＿ＲＦ＿ＴＹＰＥフィールド１１０８の値に応じて別様に構造化される。概して、ＵＺ＿ＲＦ＿ＩＮＦＯフィールド１１０８は、ＲＦカバレージに基づくユーザゾーンについて説明する。例示的な構造については、図１５および図１６に関して以下で説明する。
【０１２６】
別の実施形態では、ＵＺ＿ＲＦ＿ＴＹＰＥフィールド１１４６は、ＲＦカバレージベースでも地理ベースでもないユーザゾーンのタイプを示すために使用される。たとえば、ＵＺ＿ＲＦ＿ＴＹＰＥフィールド１１４６は、ＵＺ＿ＲＦ＿ＩＮＦＯフィールド１１４８中の情報が時間またはバッテリーステータスを指定することを示し得る。
【０１２７】
ＮＵＭ＿ＧＥＯ＿ＴＹＰＥ＿ＳＰＥＣＩＦＩＣ＿ＦＩＥＬＤＳフィールド１１５０は、ファイル内に記憶された地理ベースのユーザゾーンの数に関する情報を記憶する。一実施形態では、ＮＵＭ＿ＧＥＯ＿ＴＹＰＥ＿ＳＰＥＣＩＦＩＣ＿ＦＩＥＬＤＳフィールド１１５０は４ビットである。
【０１２８】
ユーザゾーンファイル１０３０は、１つまたは複数のＧＥＯ＿ＴＹＰＥ＿ＳＰＥＣＩＦＩＣ＿ＦＩＥＬＤフィールド１１５２を有することができる。一実施形態では、ユーザゾーンファイル１０３０は、ＮＵＭ＿ＧＥＯ＿ＴＹＰＥ＿ＳＰＥＣＩＦＩＣ＿ＦＩＥＬＤＳフィールド１１５０中で指定された数のＧＥＯ＿ＴＹＰＥ＿ＳＰＥＣＩＦＩＣ＿ＦＩＥＬＤフィールド１１５２を有する。各ＧＥＯ＿ＴＹＰＥ＿ＳＰＥＣＩＦＩＣ＿ＦＩＥＬＤフィールド１１５２は、ユーザゾーンを定義するロケーションに関する情報を記憶する。
【０１２９】
一実施形態では、ユーザゾーンファイル１０３０は、ユーザゾーンファイル１０３０の長さが整数個のオクテットになるように、ＲＥＳＥＲＶＥＤビットをも含む。一実施形態では、ＲＥＳＥＲＶＥＤビットは、すべて「０」に設定される。
【０１３０】
ＳＹＳ＿ＴＹＰＥフィールド１１０６がｃｄｍａ２０００−１ｘに設定された例示的なＳＹＳ＿ＩＮＦＯフィールド１１０８Ａの一実施形態について、図１２に関して説明する。ＳＹＳ＿ＩＮＦＯフィールド１１０８Ａは、メモリまたは他のコンピュータ可読媒体に記憶され得る。ＳＹＳ＿ＩＮＦＯフィールド１１０８Ａは、ユーザゾーンリスト中のユーザゾーンファイル中の他のフィールドとともに記憶され得る。一実施形態では、ＳＹＳ＿ＩＮＦＯフィールド１１０８Ａは、以下でさらに説明するように、いくつかの異なるフィールドを含む。上述のように、ＳＹＳ＿ＩＮＦＯフィールド１１０８Ａは、ＳＹＳ＿ＴＹＰＥフィールド１１０６に記憶された値に応じて別様に構造化され得る。
【０１３１】
ＭＣＣ＿ＩＮＣＬＵＤＥＤフィールド１２０２は、モバイル国コード（ＭＣＣ）がＳＹＳ＿ＩＮＦＯフィールド１１０８Ａ中に含まれるかどうかに関する情報を記憶する。一実施形態では、ＭＣＣ＿ＩＮＣＬＵＤＥＤフィールド１２０２は単一ビットである。一実施形態では、ＭＣＣ＿ＩＮＣＬＵＤＥＤフィールド１２０２は、情報が含まれる場合は「１」に設定され、情報が含まれない場合は「０」に設定される。
【０１３２】
ＭＣＣフィールド１２０４は、モバイル国コードに関する情報を記憶する。一実施形態では、ＳＹＳ＿ＴＹＰＥフィールド１１０６がｃｄｍａ２０００−１ｘに設定されたとき、ＭＣＣフィールド１２０４は、ＢＣＤ（２進化１０進）符号化を使用して３桁のモバイル国コードを記憶する１２ビットフィールドである。一実施形態では、ＭＣＣ＿ＩＮＣＬＵＤＥＤフィールド１２０２が「０」に設定されたとき、ＭＣＣフィールド１２０４は除外され、すなわち、ゼロビットである。
【０１３３】
ＭＮＣ＿ＩＮＣＬＵＤＥＤフィールド１２０６は、モバイルネットワークコード（ＭＮＣ）がＳＹＳ＿ＩＮＦＯフィールド１１０８Ａ中に含まれるかどうかに関する情報を記憶する。一実施形態では、ＭＮＣ＿ＩＮＣＬＵＤＥＤフィールド１２０６は単一ビットである。一実施形態では、ＭＮＣ＿ＩＮＣＬＵＤＥＤフィールド１２０２は、情報が含まれる場合は「１」に設定され、情報が含まれない場合は「０」に設定される。
【０１３４】
ＭＮＣフィールド１２０８は、モバイルネットワークコードに関する情報を記憶する。一実施形態では、ＳＹＳ＿ＴＹＰＥフィールド１１０６がｃｄｍａ２０００−１ｘに設定されたとき、ＭＮＣフィールド１２０８は、ＢＣＤ（２進化１０進）符号化を使用して２桁または３桁のモバイルネットワークコードを記憶する１２ビットフィールドである。一実施形態では、ＭＣＣ＿ＩＮＣＬＵＤＥＤフィールド１２０２が「０」に設定されたとき、ＭＣＣフィールド１２０４は除外され、すなわち、ゼロビットである。一実施形態では、モバイルネットワークコードが２桁である場合、最下位桁は「Ｆ」と符号化される。たとえば、モバイルネットワークコードが２３である場合、ＭＮＣフィールド１２０８は「２３Ｆ」に設定される。
【０１３５】
ＳＩＤ＿ＩＮＣＬＵＤＥＤフィールド１２１０は、システム識別情報（ＳＩＤ）がＳＹＳ＿ＩＮＦＯフィールド１１０８Ａ中に含まれるかどうかに関する情報を記憶する。一実施形態では、ＳＩＤ＿ＩＮＣＬＵＤＥＤフィールド１２１０は単一ビットである。一実施形態では、ＳＩＤ＿ＩＮＣＬＵＤＥＤフィールド１２１０は、情報が含まれる場合は「１」に設定され、情報が含まれない場合は「０」に設定される。
【０１３６】
ＳＩＤフィールド１２１２は、システム識別情報に関する情報を記憶する。一実施形態では、ＳＩＤフィールド１２１２は１５ビットシステム識別子を記憶する。一実施形態では、ＳＩＤ＿ＩＮＣＬＵＤＥＤフィールド１２０２が「０」に設定されたとき、ＭＣＣフィールド１２０４は除外され、すなわち、ゼロビットである。
【０１３７】
ＮＩＤ＿ＩＮＣＬＵＤＥＤフィールド１２１４は、１つまたは複数のネットワーク識別情報（ＮＩＤ）がＳＹＳ＿ＩＮＦＯフィールド１１０８Ａ中に含まれるかどうかに関する情報を記憶する。一実施形態では、ＮＩＤ＿ＩＮＣＬＵＤＥＤフィールド１２１４は単一ビットである。一実施形態では、ＮＩＤ＿ＩＮＣＬＵＤＥＤフィールド１２１４は、情報が含まれる場合は「１」に設定され、情報が含まれない場合は「０」に設定される。
【０１３８】
ＮＩＤ＿ＣＯＵＮＴフィールド１２１６は、ＳＹＳ＿ＩＮＦＯフィールド１１０８Ａ内に記憶されたネットワーク識別子の数に関する情報を記憶する。一実施形態では、ＮＩＤ＿ＣＯＵＮＴフィールド１２１６は６ビットである。一実施形態では、ＮＩＤ＿ＩＮＣＬＵＤＥＤフィールド１２１４が「０」に設定されたとき、ＮＩＤ＿ＣＯＵＮＴフィールド１２１６は除外され、すなわち、ゼロビットである。
【０１３９】
ＳＹＳ＿ＩＮＦＯフィールド１１０８Ａは、１つまたは複数のＮＩＤフィールド１２１８を有することができる。一実施形態では、ＳＹＳ＿ＩＮＦＯフィールド１１０８Ａは、ＮＩＤ＿ＣＯＵＮＴフィールド１２１６中で指定された数のＮＩＤフィールド１２１８を有する。各ＮＩＤフィールド１２１８は、ネットワーク識別子に関する情報を記憶する。一実施形態では、各ＮＩＤフィールド１２１８は１６ビットである。一実施形態では、ＮＩＤ＿ＩＮＣＬＵＤＥＤフィールド１２１４が「０」に設定されたとき、ＮＩＤフィールド１２１８はない。
【０１４０】
ＭＳＣ＿ＣＥＬＬ＿ＩＤ＿ＩＮＣＬＵＤＥＤフィールド１２２０は、モバイル交換センター（ＭＳＣ）識別情報およびセル識別情報がＳＹＳ＿ＩＮＦＯフィールド１１０８Ａ中に含まれるかどうかに関する情報を記憶する。一実施形態では、ＭＳＣ＿ＣＥＬＬ＿ＩＤ＿ＩＮＣＬＵＤＥＤフィールド１２２０は単一ビットである。一実施形態では、ＭＳＣ＿ＣＥＬＬ＿ＩＤ＿ＩＮＣＬＵＤＥＤフィールド１２２０は、情報が含まれる場合は「１」に設定され、情報が含まれない場合は「０」に設定される。
【０１４１】
ＭＳＣ＿ＩＤフィールド１２２２は、モバイル交換センター識別情報に関する情報を記憶する。一実施形態では、ＭＳＣ＿ＩＤフィールド１２２２は２４ビットシステム識別子を記憶する。一実施形態では、ＭＳＣ＿ＣＥＬＬ＿ＩＤ＿ＩＮＣＬＵＤＥＤフィールド１２２０が「０」に設定されたとき、ＭＳＣ＿ＩＤフィールド１２０４は除外され、すなわち、ゼロビットである。
【０１４２】
ＣＥＬＬ＿ＩＤフィールド１２２４は、セル（またはセクタ）識別情報に関する情報を記憶する。一実施形態では、ＣＥＬＬ＿ＩＤフィールド１２２４は１６ビットシステム識別子を記憶する。一実施形態では、ＭＳＣ＿ＣＥＬＬ＿ＩＤ＿ＩＮＣＬＵＤＥＤフィールド１２２０が「０」に設定されたとき、ＣＥＬＬ＿ＩＤフィールド１２０４は除外され、すなわち、ゼロビットである。
【０１４３】
ＢＡＳＥ＿ＩＤ＿ＩＮＣＬＵＤＥＤフィールド１２２６は、１つまたは複数の基地局識別情報がＳＹＳ＿ＩＮＦＯフィールド１１０８Ａ中に含まれるかどうかに関する情報を記憶する。一実施形態では、ＢＡＳＥ＿ＩＤ＿ＩＮＣＬＵＤＥＤフィールド１２２６は単一ビットである。一実施形態では、ＢＡＳＥ＿ＩＤ＿ＩＮＣＬＵＤＥＤフィールド１２２６は、情報が含まれる場合は「１」に設定され、情報が含まれない場合は「０」に設定される。
【０１４４】
ＢＡＳＥ＿ＩＤ＿ＣＯＵＮＴフィールド１２２８は、ＳＹＳ＿ＩＮＦＯフィールド１１０８Ａ内に記憶された基地局識別子の数に関する情報を記憶する。一実施形態では、ＢＡＳＥ＿ＩＤ＿ＣＯＵＮＴフィールド１２２８は８ビットである。一実施形態では、ＢＡＳＥ＿ＩＤ＿ＩＮＣＬＵＤＥＤフィールド１２２６が「０」に設定されたとき、ＢＡＳＥ＿ＩＤ＿ＣＯＵＮＴフィールド１２１６は除外され、すなわち、ゼロビットである。
【０１４５】
ＳＹＳ＿ＩＮＦＯフィールド１１０８Ａは、１つまたは複数のＢＡＳＥ＿ＩＤフィールド１２３０を有することができる。一実施形態では、ＳＹＳ＿ＩＮＦＯフィールド１１０８Ａは、ＢＡＳＥ＿ＩＤ＿ＣＯＵＮＴフィールド１２２８中で指定された数のＢＡＳＥ＿ＩＤフィールド１２３０を有する。各ＢＡＳＥ＿ＩＤフィールド１２３０は、基地局識別子に関する情報を記憶する。一実施形態では、各ＢＡＳＥ＿ＩＤフィールド１２３０は１６ビットである。一実施形態では、ＢＡＳＥ＿ＩＤ＿ＩＮＣＬＵＤＥＤフィールド１２２６が「０」に設定されたとき、ＢＡＳＥ＿ＩＤフィールド１２３０はない。
【０１４６】
ＲＥＧ＿ＺＯＮＥ＿ＩＮＣＬＵＤＥＤフィールド１２３２は、登録ゾーン番号がＳＹＳ＿ＩＮＦＯフィールド１１０８Ａ中に含まれるかどうかに関する情報を記憶する。一実施形態では、ＲＥＧ＿ＺＯＮＥ＿ＩＮＣＬＵＤＥＤフィールド１２３２は単一ビットである。一実施形態では、ＲＥＧ＿ＺＯＮＥ＿ＩＮＣＬＵＤＥＤフィールド１２３２は、情報が含まれる場合は「１」に設定され、情報が含まれない場合は「０」に設定される。
【０１４７】
ＲＥＧ＿ＺＯＮＥフィールド１２３４は、登録ゾーンに関する情報を記憶する。一実施形態では、ＲＥＧ＿ＺＯＮＥフィールド１２１２は８ビット番号を記憶する。一実施形態では、ＲＥＧ＿ＺＯＮＥ＿ＩＮＣＬＵＤＥＤフィールド１２３２が「０」に設定されたとき、ＲＥＧ＿ＺＯＮＥフィールド１２０４は除外され、すなわち、ゼロビットである。
【０１４８】
一実施形態では、ＳＹＳ＿ＩＮＦＯフィールド１１０８Ａは、ＳＹＳ＿ＩＮＦＯフィールド１１０８Ａの長さが整数個のオクテットになるように、ＲＥＳＥＲＶＥＤビットをも含む。一実施形態では、ＲＥＳＥＲＶＥＤビットは、すべて「０」に設定される。
【０１４９】
上述のように、ＳＹＳ＿ＩＮＦＯフィールド１１０８の構造は、ＳＹＳ＿ＴＹＰＥフィールド１１０６の値に応じて異なることがある。ＳＹＳ＿ＴＹＰＥフィールド１１０６がＨＲＰＤに設定された例示的なＳＹＳ＿ＩＮＦＯフィールド１１０８Ｂの別の実施形態について、図１３に関して説明する。
【０１５０】
ＳＵＢＮＥＴ＿ＩＤ＿ＣＯＵＮＴフィールド１３０２は、ＳＹＳ＿ＩＮＦＯフィールド１１０８Ｂ内に記憶されたサブネット識別子（subnet identifier）の数に関する情報を記憶する。一実施形態では、ＳＵＢＮＥＴ＿ＩＤ＿ＣＯＵＮＴフィールド１３０２は８ビットである。
【０１５１】
ＳＹＳ＿ＩＮＦＯフィールド１１０８Ｂは、１つまたは複数のＳＵＢＮＥＴ＿ＬＥＮＧＴＨフィールド１３０４を有することができる。一実施形態では、ＳＹＳ＿ＩＮＦＯフィールド１１０８Ｂは、ＳＵＢＮＥＴ＿ＩＤ＿ＣＯＵＮＴフィールド１３０２中で指定された数のＳＵＢＮＥＴ＿ＬＥＮＧＴＨフィールド１３０４を有する。各ＳＵＢＮＥＴ＿ＬＥＮＧＴＨフィールド１３０４は、（同じくＳＹＳ＿ＩＮＦＯフィールド１１０８Ｂに記憶された）サブネット識別子の長さに関する情報を記憶する。一実施形態では、各ＳＵＢＮＥＴ＿ＬＥＮＧＴＨフィールド１３０４は、ビットでのサブネット識別子の長さに関する情報を記憶する。一実施形態では、各ＳＵＢＮＥＴ＿ＬＥＮＧＴＨフィールド１３０４は８ビットである。一実施形態では、ＳＵＢＮＥＴ＿ＩＤの最大長は１２８である。したがって、一実施形態では、ＳＵＢＮＥＴ＿ＬＥＮＧＴＨフィールド１３０４の値「１００００００１」（１２９）〜「１１１１１１１１」（２５５）が予約される。
【０１５２】
ＳＹＳ＿ＩＮＦＯフィールド１１０８Ｂは、１つまたは複数のＳＵＢＮＥＴ＿ＩＤフィールド１３０６を有することができる。一実施形態では、ＳＹＳ＿ＩＮＦＯフィールド１１０８Ｂは、ＳＵＢＮＥＴ＿ＩＤ＿ＣＯＵＮＴフィールド１３０２中で指定された数のＳＵＢＮＥＴ＿ＩＤフィールド１３０６を有し、１つのＳＵＢＮＥＴ＿ＩＤフィールド１３０６が各ＳＵＢＮＥＴ＿ＬＥＮＧＴＨフィールド１３０４に対応する。各ＳＵＢＮＥＴ＿ＩＤフィールドは、サブネット識別情報に関する情報を記憶する。一実施形態では、各ＳＵＢＮＥＴ＿ＩＤフィールド１３０６は、対応するＳＵＢＮＥＴ＿ＬＥＮＧＴＨフィールド１３０４によって指定された長さのフィールドである。
【０１５３】
一実施形態では、ＳＹＳ＿ＩＮＦＯフィールド１１０８Ｂは、ＳＹＳ＿ＩＮＦＯフィールド１１０８Ｂの長さが整数個のオクテットになるように、ＲＥＳＥＲＶＥＤビットをも含む。一実施形態では、ＲＥＳＥＲＶＥＤビットは、すべて「０」に設定される。
【０１５４】
ＡＣＱ＿ＴＹＰＥフィールド１１３８がｃｄｍａ２０００−１ｘまたはＨＲＰＤに設定された例示的なＡＣＱ＿ＩＮＦＯフィールド１１４０Ａについて、図１４に関して説明する。ＡＣＱ＿ＩＮＦＯフィールド１１４０Ａは、メモリまたは他のコンピュータ可読媒体に記憶され得る。ＡＣＱ＿ＩＮＦＯフィールド１１４０Ａは、ユーザゾーンリスト中のユーザゾーンファイル中の他のフィールドとともに記憶され得る。一実施形態では、ＡＣＱ＿ＩＮＦＯフィールド１１４０Ａは、以下でさらに説明するように、いくつかの異なるフィールドを含む。上述のように、ＡＣＱ＿ＩＮＦＯフィールド１１４０Ａは、ＡＣＱ＿ＴＹＰＥフィールド１１３８に記憶された値に応じて別様に構造化され得る。
【０１５５】
ＰＮ＿ＩＮＣＬＵＤＥＤフィールド１４０２は、１つまたは複数のＰＮオフセットがＡＣＱ＿ＩＮＦＯフィールド１１４０Ａ中に含まれるかどうかに関する情報を記憶する。一実施形態では、ＰＮ＿ＩＮＣＬＵＤＥＤフィールド１４０２は単一ビットである。一実施形態では、ＰＮ＿ＩＮＣＬＵＤＥＤフィールド１４０２は、情報が含まれる場合は「１」に設定され、情報が含まれない場合は「０」に設定される。
【０１５６】
ＰＮ＿ＣＯＵＮＴフィールド１４０４は、ＡＣＱ＿ＩＮＦＯフィールド１１４０Ａ内に記憶されたＰＮオフセットの数に関する情報を記憶する。一実施形態では、ＰＮ＿ＣＯＵＮＴフィールド１４０４は８ビットである。一実施形態では、ＰＮ＿ＩＮＣＬＵＤＥＤフィールド１４０２が「０」に設定されたとき、ＰＮ＿ＣＯＵＮＴフィールド１４０４は除外され、すなわち、ゼロビットである。
【０１５７】
ＡＣＱ＿ＩＮＦＯフィールド１１４０Ａは、１つまたは複数のＮＧＨＢＲ＿ＰＮフィールド１４０６を有することができる。一実施形態では、ＡＣＱ＿ＩＮＦＯフィールド１１４０Ａは、ＰＮ＿ＣＯＵＮＴフィールド１４０４中で指定された数のＮＧＨＢＲ＿ＰＮフィールド１４０６を有する。各ＮＧＨＢＲ＿ＰＮフィールド１４０６は、ＰＮオフセットに関する情報を記憶する。一実施形態では、各ＮＧＨＢＲ＿ＰＮフィールド１４０６は、６４チップ単位でのＰＮオフセットに設定される。一実施形態では、各ＮＧＨＢＲ＿ＰＮフィールド１４０６は９ビットである。一実施形態では、ＰＮ＿ＩＮＣＬＵＤＥＤフィールド１４０２が「０」に設定されたとき、ＮＧＨＢＲ＿ＰＮフィールド１２１８はない。
【０１５８】
ＢＡＮＤ＿ＣＬＡＳＳ＿ＣＨＡＮ＿ＩＮＣＬＵＤＥＤフィールド１４０８は、１つまたは複数の帯域クラスおよびチャネル番号がＡＣＱ＿ＩＮＦＯフィールド１１４０Ａ中に含まれるかどうかに関する情報を記憶する。一実施形態では、ＢＡＮＤ＿ＣＬＡＳＳ＿ＣＨＡＮ＿ＩＮＣＬＵＤＥＤフィールド１４０８は単一ビットである。一実施形態では、ＢＡＮＤ＿ＣＬＡＳＳ＿ＣＨＡＮ＿ＩＮＣＬＵＤＥＤフィールド１４０８は、情報が含まれる場合は「１」に設定され、情報が含まれない場合は「０」に設定される。
【０１５９】
ＢＡＮＤ＿ＣＬＡＳＳ＿ＣＨＡＮ＿ＮＵＭ＿ＣＯＵＮＴフィールド１４１０は、ＡＣＱ＿ＩＮＦＯフィールド１１４０Ａ内に記憶された帯域クラスとチャネル番号との数に関する情報を記憶する。一実施形態では、ＢＡＮＤ＿ＣＬＡＳＳ＿ＣＨＡＮ＿ＮＵＭ＿ＣＯＵＮＴフィールド１４１０は８ビットである。一実施形態では、ＢＡＮＤ＿ＣＬＡＳＳ＿ＣＨＡＮ＿ＩＮＣＬＵＤＥＤフィールド１４０８が「０」に設定されたとき、ＰＮ＿ＣＯＵＮＴフィールド１４０４は除外され、すなわち、ゼロビットである。
【０１６０】
ＡＣＱ＿ＩＮＦＯフィールド１１４０Ａは、１つまたは複数のＢＡＮＤ＿ＣＬＡＳＳフィールド１４１２を有することができる。一実施形態では、ＡＣＱ＿ＩＮＦＯフィールド１１４０Ａは、ＢＡＮＤ＿ＣＬＡＳＳ＿ＣＨＡＮ＿ＮＵＭ＿ＣＯＵＮＴフィールド１４１０中で指定された数のＢＡＮＤ＿ＣＬＡＳＳフィールド１４１２を有する。各ＢＡＮＤ＿ＣＬＡＳＳフィールド１４１２は、帯域クラスに関する情報を記憶する。一実施形態では、各ＢＡＮＤ＿ＣＬＡＳＳフィールド１４１２は５ビットである。一実施形態では、ＢＡＮＤ＿ＣＬＡＳＳ＿ＣＨＡＮ＿ＩＮＣＬＵＤＥＤフィールド１４０８が「０」に設定されたとき、ＢＡＮＤ＿ＣＬＡＳＳフィールド１２１８はない。
【０１６１】
ＡＣＱ＿ＩＮＦＯフィールド１１４０Ａは、１つまたは複数のＣＨＡＮ＿ＮＵＭフィールド１４１４を有することができる。一実施形態では、ＡＣＱ＿ＩＮＦＯフィールド１１４０Ａは、ＢＡＮＤ＿ＣＬＡＳＳ＿ＣＨＡＮ＿ＮＵＭ＿ＣＯＵＮＴフィールド１４１０中で指定された数のＣＨＡＮ＿ＮＵＭフィールド１４１４を有し、各々がＢＡＮＤ＿ＣＬＡＳＳフィールド１４１２に対応する。各ＣＨＡＮ＿ＮＵＭフィールド１４１４は、対応するＢＡＮＤ＿ＣＬＡＳＳフィールド１２１２によって指定された帯域クラスに対応するチャネル番号に関する情報を記憶する。一実施形態では、各ＣＨＡＮ＿ＮＵＭフィールド１４１２は１１ビットである。一実施形態では、ＢＡＮＤ＿ＣＬＡＳＳ＿ＣＨＡＮ＿ＩＮＣＬＵＤＥＤフィールド１４０８が「０」に設定されたとき、ＣＨＡＮ＿ＮＵＭフィールド１２１８はない。
【０１６２】
一実施形態では、ＳＹＳ＿ＩＮＦＯフィールド１１０８Ｂは、ＳＹＳ＿ＩＮＦＯフィールド１１０８Ｂの長さが整数個のオクテットになるように、ＲＥＳＥＲＶＥＤビットをも含む。一実施形態では、ＲＥＳＥＲＶＥＤビットは、すべて「０」に設定される。
【０１６３】
ＵＺ＿ＲＦ＿ＴＹＰＥフィールド１１４４がｃｄｍａ２０００−１ｘに設定された例示的なＵＺ＿ＲＦ＿ＩＮＦＯフィールド１１４６Ａについて、図１５に関して説明する。ＵＺ＿ＲＦ＿ＩＮＦＯフィールド１１４６Ａは、メモリまたは他のコンピュータ可読媒体に記憶され得る。ＵＺ＿ＲＦ＿ＩＮＦＯフィールド１１４６Ａは、ユーザゾーンリスト中のユーザゾーンファイル中の他のフィールドとともに記憶され得る。ユーザゾーンファイルは、異なるＵＺ＿ＲＦ＿ＴＹＰＥの複数のＵＺ＿ＲＦ＿ＩＮＦＯフィールドを有することができる。一実施形態では、ＵＺ＿ＲＦ＿ＩＮＦＯフィールド１１４６Ａは、以下でさらに説明するように、いくつかの異なるフィールドを含む。上述のように、ＵＺ＿ＲＦ＿ＩＮＦＯフィールド１１４６Ａは、ＵＺ＿ＲＦ＿ＴＹＰＥフィールド１１４４に記憶された値に応じて別様に構造化され得る。
【０１６４】
ＮＵＭ＿ＥＮＴＲＩＥＳフィールド１５０２は、ＵＺ＿ＲＦ＿ＩＮＦＯフィールド１１４６Ａ中のエントリの数に関する情報を記憶する。たとえば、一実施形態では、各エントリは、ＰＮ＿ＯＦＦＳＥＴ＿ＩＮＣＬフィールド１５０４から、１つまたは複数のＵＺ＿ＢＡＳＥ＿ＩＤフィールド１５３０の最後までの、以下で説明するフィールドを有することができる。一実施形態では、ＮＵＭ＿ＥＮＴＲＩＥＳフィールド１５０２は４ビットである。
【０１６５】
ＰＮ＿ＯＦＦＳＥＴ＿ＩＮＣＬフィールド１５０４は、１つまたは複数のＰＮオフセットがＵＺ＿ＲＦ＿ＩＮＦＯフィールド１１４６Ａの特定のエントリ中に含まれるかどうかに関する情報を記憶する。一実施形態では、ＰＮ＿ＯＦＦＳＥＴ＿ＩＮＣＬフィールド１５０４は単一ビットである。一実施形態では、ＰＮ＿ＯＦＦＳＥＴ＿ＩＮＣＬフィールド１５０４は、情報が含まれる場合は「１」に設定され、情報が含まれない場合は「０」に設定される。
【０１６６】
ＮＵＭ＿ＰＮ＿ＯＦＦＳＥＴフィールド１５０６は、ＵＺ＿ＲＦ＿ＩＮＦＯフィールド１１４６Ａ中の特定のエントリ内に記憶されたＰＮオフセットの数に関する情報を記憶する。一実施形態では、ＮＵＭ＿ＰＮ＿ＯＦＦＳＥＴフィールド１５０６は３ビットである。一実施形態では、ＰＮ＿ＯＦＦ＿ＳＥＴ＿ＩＮＣＬフィールド１５０４が「０」に設定されたとき、ＮＵＭ＿ＰＮ＿ＯＦＦＳＥＴフィールド１５０６は除外され、すなわち、ゼロビットである。
【０１６７】
ＵＺ＿ＲＦ＿ＩＮＦＯフィールド１１４６Ａ中の各エントリは、１つまたは複数のＰＮ＿ＯＦＦＳＥＴフィールド１５０８を有することができる。一実施形態では、ＵＺ＿ＲＦ＿ＩＮＦＯフィールド１１４６Ａ中の各エントリは、対応するＮＵＭ＿ＰＮ＿ＯＦＦＳＥＴフィールド１５０６中で指定された数のＰＮ＿ＯＦＦＳＥＴフィールド１５０８を有する。各ＰＮ＿ＯＦＦＳＥＴフィールド１５０８は、たとえば、アクセスポイントまたは基地局の、ＰＮオフセットに関する情報を記憶する。一実施形態では、各ＰＮ＿ＯＦＦＳＥＴフィールド１５０８は９ビットである。一実施形態では、対応するＰＮ＿ＯＦＦＳＥＴ＿ＩＮＣＬフィールド１５０４が「０」に設定されたとき、そのエントリ中にＰＮ＿ＯＦＦＳＥＴフィールド１５０８はない。
【０１６８】
ＮＵＭ＿ＲＥＧ＿ＺＯＮＥフィールド１５１０は、ＵＺ＿ＲＦ＿ＩＮＦＯフィールド１１４６Ａ中の特定のエントリ内に記憶された登録ゾーン番号の数に関する情報を記憶する。一実施形態では、ＮＵＭ＿ＲＥＧ＿ＺＯＮＥフィールド１５１０は２ビットである。
【０１６９】
ＵＺ＿ＲＦ＿ＩＮＦＯフィールド１１４６Ａ中の各エントリは、１つまたは複数のＲＥＧ＿ＺＯＮＥフィールド１５１２を有することができる。一実施形態では、ＵＺ＿ＲＦ＿ＩＮＦＯフィールド１１４６Ａ中の各エントリは、対応するＮＵＭ＿ＲＥＧ＿ＺＯＮＥフィールド１５１０中で指定された数のＲＥＧ＿ＺＯＮＥフィールド１５１２を有する。各ＲＥＧ＿ＺＯＮＥフィールド１５１２は、たとえば、アクセスポイントまたは基地局の、登録ゾーン番号に関する情報を記憶する。一実施形態では、各ＲＥＧ＿ＺＯＮＥフィールド１５１２は８ビットである。
【０１７０】
ＮＵＭ＿ＡＰ＿ＩＤフィールド１５１４は、ＵＺ＿ＲＦ＿ＩＮＦＯフィールド１１４６Ａ中の特定のエントリ内に記憶されたアクセスポイント識別情報の数に関する情報を記憶する。一実施形態では、ＮＵＭ＿ＡＰ＿ＩＤフィールド１５１４は３ビットである。
【０１７１】
ＵＺ＿ＲＦ＿ＩＮＦＯフィールド１１４６Ａ中の各エントリは、１つまたは複数のＡＰ＿ＩＤ＿ＭＡＳＫ＿ＬＥＮＧＴＨフィールド１５１６を有することができる。一実施形態では、ＵＺ＿ＲＦ＿ＩＮＦＯフィールド１１４６Ａ中の各エントリは、対応するＮＵＭ＿ＡＰ＿ＩＤフィールド１５１４中で指定された数のＡＰ＿ＩＤ＿ＭＡＳＫ＿ＬＥＮＧＴＨフィールド１５１６を有する。各ＡＰ＿ＩＤ＿ＭＡＳＫ＿ＬＥＮＧＴＨフィールド１５１４は、アクセスポイントのグループまたは単一のアクセスポイントを識別することができるビット数に関する情報を記憶する。一実施形態では、ＡＰ＿ＩＤ＿ＭＡＳＫ＿ＬＥＮＧＴＨフィールド１５１４は、アクセスポイント識別情報（ＡＰ＿ＩＤ）の（最上位ビットから開始する）連続ビット数を指定する。一実施形態では、ＡＰ＿ＩＤ＿ＭＡＳＫ＿ＬＥＮＧＴＨはオーバーヘッドシグナリングメッセージにおいて送信される。一実施形態では、ＡＰ＿ＩＤ＿ＭＡＳＫ＿ＬＥＮＧＴＨフィールド１１１４は８ビットである。一実施形態では、ＡＰ＿ＩＤ＿ＭＳＢフィールド１５１８が望まれない場合、ＡＰ＿ＩＤ＿ＭＡＳＫ＿ＬＥＮＧＴＨフィールド１１１４は「００００００００」（０）に設定され得る。
【０１７２】
各ＡＰ＿ＩＤ＿ＭＳＢフィールド１５１８は、アクセスポイント識別情報の最上位ビットに関する情報を記憶する。ＡＰ＿ＩＤ＿ＭＳＢフィールド１５１８は、対応するＡＰ＿ＩＤ＿ＭＡＳＫ＿ＬＥＮＧＴＨフィールド１５１６中で指定されたのと同数のビットであり、ＡＰ＿ＩＤ＿ＭＳＢフィールド１５１８中の情報は、アクセスポイントのグループまたは単一のアクセスポイントを識別するのに十分である。ＡＰ＿ＩＤ＿ＭＡＳＫ＿ＬＥＮＧＴＨフィールド１５１６がＡＰ＿ＩＤの長さに設定された場合、ＡＰ＿ＩＤ＿ＭＳＢフィールド１１１６はＡＰ＿ＩＤに等しく、これは、オーバーヘッドシグナリングメッセージにおいて基地局によってブロードキャストされ得ることを諒解されたい。
【０１７３】
ＵＺ＿ＮＩＤ＿ＩＮＣＬＵＤＥＤフィールド１５２０は、１つまたは複数のネットワーク識別子がＵＺ＿ＲＦ＿ＩＮＦＯフィールド１１４６Ａの特定のエントリ中に含まれるかどうかに関する情報を記憶する。一実施形態では、ＵＺ＿ＮＩＤ＿ＩＮＣＬＵＤＥＤフィールド１５２０は単一ビットである。一実施形態では、ＵＺ＿ＮＩＤ＿ＩＮＣＬＵＤＥＤフィールド１５２０は、情報が含まれる場合は「１」に設定され、情報が含まれない場合は「０」に設定される。
【０１７４】
ＵＺ＿ＮＩＤ＿ＣＯＵＮＴフィールド１５２２は、ＵＺ＿ＲＦ＿ＩＮＦＯフィールド１１４６Ａ中の特定のエントリ内に記憶されたネットワーク識別子の数に関する情報を記憶する。一実施形態では、ＵＺ＿ＮＩＤ＿ＣＯＵＮＴフィールド１５２２は６ビットである。一実施形態では、ＵＺ＿ＮＩＤ＿ＩＮＣＬＵＤＥＤフィールド１５２０が「０」に設定されたとき、ＵＺ＿ＮＩＤ＿ＣＯＵＮＴフィールド１５２２は除外され、すなわち、ゼロビットである。
【０１７５】
ＵＺ＿ＲＦ＿ＩＮＦＯフィールド１１４６Ａ中の各エントリは、１つまたは複数のＵＺ＿ＮＩＤフィールド１５２４を有することができる。一実施形態では、ＵＺ＿ＲＦ＿ＩＮＦＯフィールド１１４６Ａ中の各エントリは、対応するＵＺ＿ＮＩＤ＿ＣＯＵＮＴフィールド１５２２中で指定された数のＵＺ＿ＮＩＤフィールド１５２４を有する。各ＵＺ＿ＮＩＤフィールド１５２４は、ネットワーク識別情報に関する情報を記憶する。一実施形態では、各ＵＺ＿ＮＩＤフィールド１５２４は１６ビットである。一実施形態では、対応するＵＺ＿ＮＩＤ＿ＩＮＣＬＵＤＥＤフィールド１５２０が「０」に設定されたとき、そのエントリ中にＵＺ＿ＮＩＤフィールド１５２４はない。
【０１７６】
ＵＺ＿ＢＡＳＥ＿ＩＤ＿ＩＮＣＬＵＤＥＤフィールド１５２６は、１つまたは複数の基地局識別子がＵＺ＿ＲＦ＿ＩＮＦＯフィールド１１４６Ａの特定のエントリ中に含まれるかどうかに関する情報を記憶する。一実施形態では、ＵＺ＿ＢＡＳＥ＿ＩＤ＿ＩＮＣＬＵＤＥＤフィールド１５２６は単一ビットである。一実施形態では、ＵＺ＿ＢＡＳＥ＿ＩＤ＿ＩＮＣＬＵＤＥＤフィールド１５２６は、情報が含まれる場合は「１」に設定され、情報が含まれない場合は「０」に設定される。
【０１７７】
ＵＺ＿ＢＡＳＥ＿ＩＤ＿ＣＯＵＮＴフィールド１５２８は、ＵＺ＿ＲＦ＿ＩＮＦＯフィールド１１４６Ａ中の特定のエントリ内に記憶された基地局識別子の数に関する情報を記憶する。一実施形態では、ＵＺ＿ＢＡＳＥ＿ＩＤ＿ＣＯＵＮＴフィールド１５２２は８ビットである。一実施形態では、ＵＺ＿ＢＡＳＥ＿ＩＤ＿ＩＮＣＬＵＤＥＤフィールド１５２６が「０」に設定されたとき、ＵＺ＿ＢＡＳＥ＿ＩＤ＿ＣＯＵＮＴフィールド１５２８は除外され、すなわち、ゼロビットである。
【０１７８】
ＵＺ＿ＲＦ＿ＩＮＦＯフィールド１１４６Ａ中の各エントリは、１つまたは複数のＵＺ＿ＢＡＳＥ＿ＩＤフィールド１５３０を有することができる。一実施形態では、ＵＺ＿ＲＦ＿ＩＮＦＯフィールド１１４６Ａ中の各エントリは、対応するＵＺ＿ＢＡＳＥ＿ＩＤ＿ＣＯＵＮＴフィールド１５２８中で指定された数のＵＺ＿ＢＡＳＥ＿ＩＤフィールド１５３０を有する。各ＵＺ＿ＢＡＳＥ＿ＩＤフィールド１５３０は、基地局識別子に関する情報を記憶する。一実施形態では、各ＵＺ＿ＢＡＳＥ＿ＩＤフィールド１５３０は１６ビットである。一実施形態では、対応するＵＺ＿ＢＡＳＥ＿ＩＤ＿ＩＮＣＬＵＤＥＤフィールド１５２６が「０」に設定されたとき、そのエントリ中にＵＺ＿ＢＡＳＥ＿ＩＤフィールド１５３０はない。
【０１７９】
一実施形態では、ＵＺ＿ＲＦ＿ＩＮＦＯフィールド１１４６Ｂは、ＵＺ＿ＲＦ＿ＩＮＦＯフィールド１１４６Ｂの長さが整数個のオクテットになるように、ＲＥＳＥＲＶＥＤビットをも含む。一実施形態では、ＲＥＳＥＲＶＥＤビットは、すべて「０」に設定される。一実施形態では、ＵＺ＿ＲＦ＿ＩＮＦＯフィールド１１４６Ｂ中の各エントリはＲＥＳＥＲＶＥＤビットを有しないが、ＵＺ＿ＲＦ＿ＩＮＦＯフィールド１１４６ＢはＲＥＳＥＲＶＥＤビットを有することを諒解されたい。
【０１８０】
ＵＺ＿ＲＦ＿ＴＹＰＥフィールド１１４４がＨＲＰＤに設定された例示的なＵＺ＿ＲＦ＿ＩＮＦＯフィールド１１４６Ｂについて、図１６に関して説明する。ＵＺ＿ＲＦ＿ＩＮＦＯフィールド１１４６Ｂは、メモリまたは他のコンピュータ可読媒体に記憶され得る。ＵＺ＿ＲＦ＿ＩＮＦＯフィールド１１４６Ｂは、ユーザゾーンリスト中のユーザゾーンファイル中の他のフィールドとともに記憶され得る。ユーザゾーンファイルは、異なるＵＺ＿ＲＦ＿ＴＹＰＥの複数のＵＺ＿ＲＦ＿ＩＮＦＯフィールドを有することができる。一実施形態では、ＵＺ＿ＲＦ＿ＩＮＦＯフィールド１１４６Ｂは、以下でさらに説明するように、いくつかの異なるフィールドを含む。上述のように、ＵＺ＿ＲＦ＿ＩＮＦＯフィールド１１４６Ｂは、ＵＺ＿ＲＦ＿ＴＹＰＥフィールド１１４４に記憶された値に応じて別様に構造化され得る。
【０１８１】
ＮＵＭ＿ＥＮＴＲＩＥＳフィールド１６０２は、ＵＺ＿ＲＦ＿ＩＮＦＯフィールド１１４６Ｂ中のエントリの数に関する情報を記憶する。たとえば、一実施形態では、各エントリは、ＰＮ＿ＯＦＦＳＥＴ＿ＩＮＣＬフィールド１６０４から、１つまたは複数のＵＺ＿ＳＵＢＮＥＴ＿ＩＤフィールド１６２４の最後までの、以下で説明するフィールドを有することができる。一実施形態では、ＮＵＭ＿ＥＮＴＲＩＥＳフィールド１６０２は４ビットである。
【０１８２】
ＰＮ＿ＯＦＦＳＥＴ＿ＩＮＣＬフィールド１６０４は、１つまたは複数のＰＮオフセットがＵＺ＿ＲＦ＿ＩＮＦＯフィールド１１４６Ｂの特定のエントリ中に含まれるかどうかに関する情報を記憶する。一実施形態では、ＰＮ＿ＯＦＦＳＥＴ＿ＩＮＣフィールド１６０４は単一ビットである。一実施形態では、ＰＮ＿ＯＦＦＳＥＴ＿ＩＮＣＬフィールド１６０４は、情報が含まれる場合は「１」に設定され、情報が含まれない場合は「０」に設定される。
【０１８３】
ＮＵＭ＿ＰＮ＿ＯＦＦＳＥＴフィールド１６０６は、ＵＺ＿ＲＦ＿ＩＮＦＯフィールド１１４６Ｂ中の特定のエントリ内に記憶されたＰＮオフセットの数に関する情報を記憶する。一実施形態では、ＮＵＭ＿ＰＮ＿ＯＦＦＳＥＴフィールド１６０６は３ビットである。一実施形態では、ＰＮ＿ＯＦＦ＿ＳＥＴ＿ＩＮＣＬフィールド１６０４が「０」に設定されたとき、ＮＵＭ＿ＰＮ＿ＯＦＦＳＥＴフィールド１６０６は除外され、すなわち、ゼロビットである。
【０１８４】
ＵＺ＿ＲＦ＿ＩＮＦＯフィールド１１４６Ｂ中の各エントリは、１つまたは複数のＰＮ＿ＯＦＦＳＥＴフィールド１６０８を有することができる。一実施形態では、ＵＺ＿ＲＦ＿ＩＮＦＯフィールド１１４６Ｂ中の各エントリは、対応するＮＵＭ＿ＰＮ＿ＯＦＦＳＥＴフィールド１６０６中で指定された数のＰＮ＿ＯＦＦＳＥＴフィールド１６０８を有する。各ＰＮ＿ＯＦＦＳＥＴフィールド１６０８は、たとえば、アクセスポイントまたは基地局の、ＰＮオフセットに関する情報を記憶する。一実施形態では、各ＰＮ＿ＯＦＦＳＥＴフィールド１６０８は９ビットである。一実施形態では、対応するＰＮ＿ＯＦＦＳＥＴ＿ＩＮＣＬフィールド１６０４が「０」に設定されたとき、そのエントリ中にＰＮ＿ＯＦＦＳＥＴフィールド１６０８はない。
【０１８５】
ＮＵＭ＿ＡＰ＿ＩＤフィールド１６１４は、ＵＺ＿ＲＦ＿ＩＮＦＯフィールド１１４６Ｂ中の特定のエントリ内に記憶されたアクセスポイント（ＡＰ）識別情報の数に関する情報を記憶する。一実施形態では、ＮＵＭ＿ＡＰ＿ＩＤフィールド１６１４は３ビットである。
【０１８６】
ＵＺ＿ＲＦ＿ＩＮＦＯフィールド１１４６Ｂ中の各エントリは、１つまたは複数のＡＰ＿ＩＤ＿ＭＡＳＫ＿ＬＥＮＧＴＨフィールド１６１６を有することができる。一実施形態では、ＵＺ＿ＲＦ＿ＩＮＦＯフィールド１１４６Ｂ中の各エントリは、対応するＮＵＭ＿ＡＰ＿ＩＤフィールド１６１４中で指定された数のＡＰ＿ＩＤ＿ＭＡＳＫ＿ＬＥＮＧＴＨフィールド１６１６を有する。各ＡＰ＿ＩＤ＿ＭＡＳＫ＿ＬＥＮＧＴＨフィールド１６１４は、アクセスポイントのグループまたは単一のアクセスポイントを識別することができるビット数に関する情報を記憶する。一実施形態では、ＡＰ＿ＩＤ＿ＭＡＳＫ＿ＬＥＮＧＴＨフィールド１６１４は、アクセスポイント識別情報（ＡＰ＿ＩＤ）の（最上位ビットから開始する）連続ビット数を指定する。一実施形態では、ＡＰ＿ＩＤ＿ＭＡＳＫ＿ＬＥＮＧＴＨはオーバーヘッドシグナリングメッセージにおいて送信される。一実施形態では、ＡＰ＿ＩＤ＿ＭＡＳＫ＿ＬＥＮＧＴＨフィールド１１１４は８ビットである。一実施形態では、ＡＰ＿ＩＤ＿ＭＳＢフィールド１６１８が望まれない場合、ＡＰ＿ＩＤ＿ＭＡＳＫ＿ＬＥＮＧＴＨフィールド１１１４は「００００００００」（０）に設定され得る。
【０１８７】
各ＡＰ＿ＩＤ＿ＭＳＢフィールド１６１８は、アクセスポイント識別情報の最上位ビットに関する情報を記憶する。ＡＰ＿ＩＤ＿ＭＳＢフィールド１６１８は、対応するＡＰ＿ＩＤ＿ＭＡＳＫ＿ＬＥＮＧＴＨフィールド１６１６中で指定されたのと同数のビットであり、ＡＰ＿ＩＤ＿ＭＳＢフィールド１６１８中の情報は、アクセスポイントのグループまたは単一のアクセスポイントを識別するのに十分である。ＡＰ＿ＩＤ＿ＭＡＳＫ＿ＬＥＮＧＴＨフィールド１６１６がＡＰ＿ＩＤの長さに設定された場合、ＡＰ＿ＩＤ＿ＭＳＢフィールド１１１６はＡＰ＿ＩＤに等しく、これは、オーバーヘッドシグナリングメッセージにおいて基地局によってブロードキャストされ得ることを諒解されたい。
【０１８８】
ＵＺ＿ＳＵＢＮＥＴ＿ＩＤ＿ＩＮＣＬＵＤＥＤフィールド１６２０は、１つまたは複数のサブネット識別子がＵＺ＿ＲＦ＿ＩＮＦＯフィールド１１４６Ｂの特定のエントリ中に含まれるかどうかに関する情報を記憶する。一実施形態では、ＵＺ＿ＳＵＢＮＥＴ＿ＩＤ＿ＩＮＣＬＵＤＥＤフィールド１６２０は単一ビットである。一実施形態では、ＵＺ＿ＳＵＢＮＥＴ＿ＩＤ＿ＩＮＣＬＵＤＥＤフィールド１６２０は、情報が含まれる場合は「１」に設定され、情報が含まれない場合は「０」に設定される。
【０１８９】
ＵＺ＿ＳＵＢＮＥＴ＿ＩＤ＿ＣＯＵＮＴフィールド１６２２は、ＵＺ＿ＲＦ＿ＩＮＦＯフィールド１１４６Ｂ中の特定のエントリ内に記憶されたサブネット識別子の数に関する情報を記憶する。一実施形態では、ＵＺ＿ＳＵＢＮＥＴ＿ＩＤ＿ＣＯＵＮＴフィールド１６２２は６ビットである。一実施形態では、ＵＺ＿ＳＵＢＮＥＴ＿ＩＤ＿ＩＮＣＬＵＤＥＤフィールド１６２０が「０」に設定されたとき、ＵＺ＿ＳＵＢＮＥＴ＿ＩＤ＿ＣＯＵＮＴフィールド１６２２は除外され、すなわち、ゼロビットである。
【０１９０】
ＵＺ＿ＲＦ＿ＩＮＦＯフィールド１１４６Ｂ中の各エントリは、１つまたは複数のＵＺ＿ＳＵＢＮＥＴ＿ＩＤ＿ＬＥＮＧＴＨフィールド１６２３を有することができる。一実施形態では、ＵＺ＿ＲＦ＿ＩＮＦＯフィールド１１４６Ｂ中の各エントリは、対応するＵＺ＿ＳＵＢＮＥＴ＿ＩＤ＿ＣＯＵＮＴフィールド１６２２中で指定された数のＵＺ＿ＳＵＢＮＥＴ＿ＩＤ＿ＬＥＮＧＴＨフィールド１６２３を有する。各ＵＺ＿ＳＵＢＮＥＴ＿ＩＤ＿ＬＥＮＧＴＨフィールド１６２３は、（同じくＵＺ＿ＲＦ＿ＩＮＦＯフィールド１１４８Ｂのエントリに記憶された）サブネット識別子の長さに関する情報を記憶する。一実施形態では、ＵＺ＿ＳＵＢＮＥＴ＿ＩＤの最大長は１２８である。したがって、一実施形態では、ＵＺ＿ＳＵＢＮＥＴ＿ＩＤ＿ＬＥＮＧＴＨフィールド１６２３の値「１００００００１」（１２９）〜「１１１１１１１１」（２５５）が予約される。
【０１９１】
ＵＺ＿ＲＦ＿ＩＮＦＯフィールド１１４６Ｂ中の各エントリは、１つまたは複数のＵＺ＿ＳＵＢＮＥＴ＿ＩＤフィールド１６２４を有することができる。一実施形態では、ＵＺ＿ＲＦ＿ＩＮＦＯフィールド１１４６Ｂ中の各エントリは、対応するＵＺ＿ＳＵＢＮＥＴ＿ＩＤ＿ＣＯＵＮＴフィールド１６２２中で指定された数のＵＺ＿ＳＵＢＮＥＴ＿ＩＤフィールド１６２４を有する。各ＵＺ＿ＳＵＢＮＥＴ＿ＩＤフィールド１６２４は、サブネット識別情報に関する情報を記憶する。一実施形態では、各ＵＺ＿ＳＵＢＮＥＴ＿ＩＤフィールド１６２４は、対応するＵＺ＿ＳＵＢＮＥＴ＿ＩＤ＿ＬＥＮＧＴＨフィールド１６２３によって指定されたビットでの長さのフィールドである。一実施形態では、対応するＵＺ＿ＳＵＢＮＥＴ＿ＩＤ＿ＩＮＣＬＵＤＥＤフィールド１６２０が「０」に設定されたとき、そのエントリ中にＵＺ＿ＳＵＢＮＥＴ＿ＩＤフィールド１６２４はない。
【０１９２】
一実施形態では、ＵＺ＿ＲＦ＿ＩＮＦＯフィールド１１４６Ｂは、ＵＺ＿ＲＦ＿ＩＮＦＯフィールド１１４６Ｂの長さが整数個のオクテットになるように、ＲＥＳＥＲＶＥＤビットをも含む。一実施形態では、ＲＥＳＥＲＶＥＤビットは、すべて「０」に設定される。一実施形態では、ＵＺ＿ＲＦ＿ＩＮＦＯフィールド１１４６Ｂ中の各エントリはＲＥＳＥＲＶＥＤビットを有しないが、ＵＺ＿ＲＦ＿ＩＮＦＯフィールド１１４６ＢはＲＥＳＥＲＶＥＤビットを有することを諒解されたい。
【０１９３】
（たとえば、添付の図の１つまたは複数に関して）本明細書で説明する機能は、いくつかの態様では、添付の特許請求の範囲において同様に指定された「手段」機能に対応し得る。図１７を参照すると、モバイルデバイス１７００は、一連の相互に関係する機能モジュールとして表されている。
【０１９４】
図示のように、ＵＥ１７００は、判断モジュール１７０５と、記憶モジュール１７１０と、受信モジュール１７４０と、送信モジュール１７４１と、識別モジュール１７４２と、検索モジュール１７４３と、表示モジュール１７４４とを備え得る。判断モジュール１７０５は、少なくともいくつかの態様では、たとえば、本明細書で説明するプロセッサまたは処理モジュールに対応し得る。判断モジュール１７０５は、たとえば、フェムトノードの１つまたは複数の通信インターフェースタイプを判断することができる。判断モジュール１７０５は、たとえば、電子デバイスがフェムトノードに関連付けられたユーザゾーン内にあると判断し、フェムトノードの１つまたは複数のユーザゾーンを判断し、第１のユーザゾーン通信インターフェースタイプを有する第１のユーザゾーンと、第２のユーザゾーン通信インターフェースタイプを有する第２のユーザゾーンとを判断し、あるいはフェムトノードの第１の通信インターフェースタイプと、第１のインターフェースタイプとは異なるフェムトノードの第２の通信インターフェースタイプとを判断することができる。
【０１９５】
記憶モジュール１７１０は、少なくともいくつかの態様では、たとえば、本明細書で説明するメモリまたは記憶モジュールに対応し得る。記憶モジュール１７１０は、たとえば、判断された通信インターフェースタイプに関する情報をユーザゾーンリストに記憶することができる。記憶モジュール１７１０は、たとえば、ユーザゾーンリスト中の１つまたは複数のユーザゾーン、ユーザゾーン通信ゾーンタイプ、第１のユーザゾーンおよび第２のユーザゾーン、ユーザゾーンへの参照、ユーザゾーンリスト、ユーザゾーンファイル、または通信インターフェースタイプに関する情報を記憶することができる。
【０１９６】
受信モジュール１７４０は、少なくともいくつかの態様では、たとえば、本明細書で説明する受信機または受信モジュールに対応し得る。送信モジュール１７４１は、少なくともいくつかの態様では、たとえば、本明細書で説明する送信機または送信モジュールに対応し得る。識別モジュール１７４２は、少なくともいくつかの態様では、たとえば、本明細書で説明するプロセッサまたは処理モジュールに対応し得る。表示モジュール１７４４は、少なくともいくつかの態様では、たとえば、本明細書で説明するディスプレイに対応し得る。
【０１９７】
探索モジュール１７４３は、少なくともいくつかの態様では、たとえば、本明細書で説明する受信機または受信モジュールに対応し得る。探索モジュール１７４３は、たとえば、特定のフェムトノードを探索または走査することができる。探索モジュール１７４３は、たとえば、複数のフェムトノードを探索または走査するか、あるいは未知のフェムトノードを探索または走査することができる。
【０１９８】
図１７のモジュールの機能は、本明細書の教示に一致する様々な方法で実装され得る。いくつかの態様では、これらのモジュールの機能は、１つまたは複数の電気構成要素として実装され得る。いくつかの態様では、これらのブロックの機能は、１つまたは複数のプロセッサ構成要素を含む処理システムとして実装され得る。いくつかの態様では、これらのモジュールの機能は、たとえば、１つまたは複数の集積回路（たとえば、ＡＳＩＣ）の少なくとも一部を使用して実装され得る。本明細書で論じるように、集積回路は、プロセッサ、ソフトウェア、他の関連する構成要素、またはそれらの何らかの組合せを含み得る。これらのモジュールの機能はまた、本明細書で教示する方法とは別の何らかの方法で実装され得る。
【０１９９】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用され得る。したがって、第１および第２の要素への言及は、そこで２つの要素のみが使用され得ること、または第１の要素が何らかの方法で第２の要素に先行しなければならないことを意味するものではない。また、別段の規定がない限り、要素のセットは１つまたは複数の要素を備え得る。さらに、明細書または特許請求の範囲において使用される「Ａ、Ｂ、またはＣのうちの少なくとも１つ」という形式の用語は、「ＡまたはＢまたはＣ、あるいはこれらの要素の任意の組合せ」を意味する。
【０２００】
本明細書で提示する実施形態および他の実施形態については、さらに添付の付録においてより詳細に説明されている。本明細書では本発明の特定の例について説明しているが、当業者なら、本発明の概念を逸脱することなく本発明の変形物を考案することができる。たとえば、本明細書の教示は、回路交換ネットワーク要素について言及しているが、パケット交換ドメインネットワーク要素に等しく適用可能である。
【０２０１】
情報および信号は、様々な異なる技術および技法のいずれを使用しても表され得ることを、当業者なら理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２０２】
さらに、本明細書で開示した例に関連して説明した様々な例示的な論理ブロック、モジュール、回路、方法およびアルゴリズムは、電子ハードウェア、コンピュータソフトウェア、または両方の組合せとして実装され得ることを、当業者は諒解されよう。ハードウェアとソフトウェアのこの互換性を明確に説明するために、様々な例示的な構成要素、ブロック、モジュール、回路、方法、およびアルゴリズムについて、概してそれらの機能に関して上記で説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本発明の範囲からの逸脱を生じるものと解釈すべきではない。
【０２０３】
本明細書で開示した例に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０２０４】
本明細書で開示した例に関して説明した方法またはアルゴリズムは、直接ハードウェアで実施されるか、プロセッサによって実行されるソフトウェアモジュールで実施されるか、またはそれらの２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。記憶媒体は、プロセッサがその記憶媒体から情報を読み取り、その記憶媒体に情報を書き込むことができるようにプロセッサに結合され得る。代替として、記憶媒体はプロセッサに一体化され得る。プロセッサおよび記憶媒体はＡＳＩＣ中に常駐し得る。
【０２０５】
１つまたは複数の例示的な実施形態では、説明した機能は、ハードウェア、ソフトウェア、ファームウェア、またはそれらの任意の組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気ストレージデバイス、もしくは命令またはデータ構造の形態の所望のプログラムコードを搬送または記憶するために使用され得、コンピュータによってアクセスされ得る任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０２０６】
開示した例の前述の説明は、当業者が本発明を実施または使用できるようにするために与えたものである。これらの例の様々な変更は、当業者には容易に明らかになり、本明細書で定義した一般原理は、本発明の趣旨または範囲から逸脱することなく他の例に適用され得る。たとえば、上記の大部分は、記憶されたユーザゾーン情報がフェムトノードに関係する実施形態を対象としているが、他の記憶されたユーザゾーン情報は、限定はしないが、マクロノード、ピコノード、フェムトノード、ＷｉＭａｘゲートウェイ、またはＷｉＦｉアクセスポイントを含む、任意のアクセスノードに関係することができることを諒解されたい。したがって、本発明は、本明細書で示した例に限定されるものではなく、本明細書で開示した原理および新規の特徴に合致する最も広い範囲を与えられるべきである。
以下に本件出願当初の特許請求の範囲を記載する。
［Ｃ１］
ユーザゾーンリストに情報を記憶する方法であって、
ワイヤレスデバイスにおいて、アクセスノードの１つまたは複数の通信インターフェースタイプを判断することと、
前記判断された通信インターフェースタイプに関する情報をユーザゾーンリストに記憶することと
を備える方法。
［Ｃ２］
前記ユーザゾーンリストが１つまたは複数のユーザゾーンファイルを備え、各ユーザゾーンファイルが、対応するアクセスノードに関する情報と、各対応するアクセスノードに関連付けられた１つまたは複数のユーザゾーンに関する情報とを備える、［Ｃ１］に記載の方法。
［Ｃ３］
前記ワイヤレスデバイスが前記アクセスノードに関連付けられたユーザゾーン内にあると判断することと、
前記アクセスノードを探索することと
をさらに備える、［Ｃ１］に記載の方法。
［Ｃ４］
前記判断された通信インターフェースタイプに関する前記情報が、複数の所定の通信インターフェースタイプのうちの１つの１つまたは複数のインジケータを備える、［Ｃ１］に記載の方法。
［Ｃ５］
前記所定の通信インターフェースタイプが、少なくともｃｄｍａ２０００−１ｘ、ＨＲＰＤ、ＧＳＭ、ＵＭＴＳ、ＵＭＢ、ＷｉＭＡＸ、またはＬＴＥを含む、［Ｃ４］に記載の方法。
［Ｃ６］
前記アクセスノードの１つまたは複数のユーザゾーンを判断することと、
前記判断されたユーザゾーンに関する情報を前記ユーザゾーンリストに記憶することとをさらに備える、［Ｃ１］に記載の方法。
［Ｃ７］
前記アクセスノードの１つまたは複数のユーザゾーンを判断することが、１つまたは複数のユーザゾーン通信インターフェースタイプを判断することを備え、前記判断されたユーザゾーンに関する情報を記憶することが、前記ユーザゾーン通信インターフェースタイプに関する情報を記憶することを備える、［Ｃ６］に記載の方法。
［Ｃ８］
前記アクセスノードの前記判断された通信インターフェースタイプのうちの少なくとも１つが、前記判断されたユーザゾーン通信インターフェースタイプのうちの少なくとも１つとは異なる、［Ｃ７］に記載の方法。
［Ｃ９］
前記判断されたユーザゾーンに関する前記情報が、１つまたは複数の地理的エリアを備える、［Ｃ６］に記載の方法。
［Ｃ１０］
前記判断されたユーザゾーンに関する前記情報が擬似雑音オフセットを備える、［Ｃ６］に記載の方法。
［Ｃ１１］
前記判断されたユーザゾーンに関する前記情報が、２つの受信基準信号間の時間差を備える、［Ｃ６］に記載の方法。
［Ｃ１２］
前記判断されたユーザゾーンに関する前記情報がサブネット識別子を備える、［Ｃ６］に記載の方法。
［Ｃ１３］
前記アクセスノードの判断されたユーザゾーンの数に関する情報を前記ユーザゾーンリストに記憶することをさらに備える、［Ｃ６］に記載の方法。
［Ｃ１４］
第１のユーザゾーン通信インターフェースタイプを有する前記アクセスノードの第１のユーザゾーンを判断することと、
前記第１の通信インターフェースタイプとは異なる第２のユーザゾーン通信インターフェースタイプを有する前記アクセスノードの第２のユーザゾーンを判断することと、
前記第１のユーザゾーンに関する情報を前記ユーザゾーンリストに記憶することと、 前記第２のユーザゾーンに関する情報を前記ユーザゾーンリストに記憶することであって、前記第２のユーザゾーンに関する前記情報が、前記第１のユーザゾーンに関する前記情報への参照を備える、記憶することと
をさらに備える、［Ｃ１］に記載の方法。
［Ｃ１５］
前記アクセスノードの１つまたは複数の通信インターフェースタイプを判断することが、第１の通信インターフェースタイプを判断することと、前記第１の通信インターフェースタイプとは異なる第２の通信インターフェースタイプを判断することとを備え、前記判断された通信インターフェースタイプに関する情報を記憶することが、前記第１の通信インターフェースタイプに関する情報を前記ユーザゾーンリスト中の第１のユーザゾーンファイルに記憶することと、前記第２の通信インターフェースタイプに関する情報を前記ユーザゾーンリストの第２のユーザゾーンファイルに記憶することとを備える、［Ｃ１］に記載の方法。
［Ｃ１６］
前記第２のユーザゾーンファイルが前記第１のユーザゾーンファイルへの参照を備える、［Ｃ１５］に記載の方法。
［Ｃ１７］
ユーザゾーンリストに情報を記憶するための装置であって、
アクセスノードの１つまたは複数の通信インターフェースタイプを判断するように構成されたプロセッサと、
前記判断された通信インターフェースタイプに関する情報をユーザゾーンリストに記憶するように構成されたメモリと
を備える装置。
［Ｃ１８］
前記ユーザゾーンリストが１つまたは複数のユーザゾーンファイルを備え、各ユーザゾーンファイルが、対応するアクセスノードに関する情報と、各対応するアクセスノードに関連付けられた１つまたは複数のユーザゾーンに関する情報とを備える、［Ｃ１７］に記載の装置。
［Ｃ１９］
前記プロセッサは、ワイヤレスデバイスが前記アクセスノードに関連付けられたユーザゾーン内にあると判断し、前記アクセスノードを探索するようにさらに構成された、［Ｃ１７］に記載の装置。
［Ｃ２０］
前記判断された通信インターフェースタイプに関する前記情報が、複数の所定の通信インターフェースタイプのうちの１つの１つまたは複数のインジケータを備える、［Ｃ１７］に記載の装置。
［Ｃ２１］
前記所定の通信インターフェースタイプが、少なくともｃｄｍａ２０００−１ｘ、ＨＲＰＤ、ＧＳＭ、ＵＭＴＳ、ＵＭＢ、ＷｉＭＡＸ、またはＬＴＥを含む、［Ｃ２０］に記載の装置。
［Ｃ２２］
前記プロセッサが、前記アクセスノードの１つまたは複数のユーザゾーンを判断するように構成され、前記メモリが、前記判断されたユーザゾーンに関する情報を前記ユーザゾーンリストに記憶するように構成された、［Ｃ１］に記載の装置。
［Ｃ２３］
前記プロセッサが、１つまたは複数のユーザゾーン通信インターフェースタイプを判断するように構成され、前記メモリが、前記ユーザゾーン通信インターフェースタイプに関する情報を記憶するように構成された、［Ｃ２２］に記載の装置。
［Ｃ２４］
前記アクセスノードの前記判断された通信インターフェースタイプのうちの少なくとも１つが、前記判断されたユーザゾーン通信インターフェースタイプのうちの少なくとも１つとは異なる、［Ｃ２３］に記載の装置。
［Ｃ２５］
前記判断されたユーザゾーンに関する前記情報が、１つまたは複数の地理的エリアを備える、［Ｃ２２］に記載の装置。
［Ｃ２６］
前記判断されたユーザゾーンに関する前記情報が擬似雑音オフセットを備える、［Ｃ２２］に記載の装置。
［Ｃ２７］
前記判断されたユーザゾーンに関する前記情報が、２つの受信基準信号間の時間差を備える、［Ｃ２２］に記載の装置。
［Ｃ２８］
前記判断されたユーザゾーンに関する前記情報がサブネット識別子を備える、［Ｃ２２］に記載の装置。
［Ｃ２９］
前記メモリが、前記アクセスノードの判断されたユーザゾーンの数に関する情報を前記ユーザゾーンリストに記憶するように構成された、［Ｃ２２］に記載の装置。
［Ｃ３０］
前記プロセッサが、第１のユーザゾーン通信インターフェースタイプを有する前記アクセスノードの第１のユーザゾーンを判断し、前記第１の通信インターフェースタイプとは異なる第２のユーザゾーン通信インターフェースタイプを有する前記アクセスノードの第２のユーザゾーンを判断するように構成され、前記メモリが、前記第１のユーザゾーンに関する情報を前記ユーザゾーンリストに記憶し、前記第２のユーザゾーンに関する情報を前記ユーザゾーンリストに記憶するように構成され、前記第２のユーザゾーンに関する前記情報が、前記第１のユーザゾーンに関する前記情報への参照を備える、［Ｃ１７］に記載の装置。
［Ｃ３１］
前記プロセッサが、第１の通信インターフェースタイプを判断し、前記第１の通信インターフェースタイプとは異なる第２の通信インターフェースタイプを判断するように構成され、前記メモリが、前記第１の通信インターフェースタイプに関する情報を前記ユーザゾーンリスト中の第１のユーザゾーンファイルに記憶し、前記第２の通信インターフェースタイプに関する情報を前記ユーザゾーンリストの第２のユーザゾーンファイルに記憶するように構成された、［Ｃ１７］に記載の装置。
［Ｃ３２］
前記第２のユーザゾーンファイルが前記第１のユーザゾーンファイルへの参照を備える、［Ｃ３１］に記載の装置。
［Ｃ３３］
アクセスノードの１つまたは複数の通信インターフェースタイプを判断することをコンピュータに行わせるためのコードと、
前記判断された通信インターフェースタイプに関する情報をユーザゾーンリストに記憶することをコンピュータに行わせるためのコードと
をさらに備えるコンピュータ可読媒体
を備えるコンピュータプログラム製品。
［Ｃ３４］
前記ユーザゾーンリストが１つまたは複数のユーザゾーンファイルを備え、各ユーザゾーンファイルが、対応するアクセスノードに関する情報と、各対応するアクセスノードに関連付けられた１つまたは複数のユーザゾーンに関する情報とを備える、［Ｃ３３］に記載のコンピュータプログラム製品。
［Ｃ３５］
前記コンピュータ可読媒体が、
ワイヤレスデバイスが前記アクセスノードに関連付けられたユーザゾーン内にあると判断することをコンピュータに行わせるためのコードと、
前記アクセスノードを探索することをコンピュータに行わせるためのコードと
をさらに備える、［Ｃ３３］に記載のコンピュータプログラム製品。
［Ｃ３６］
前記判断された通信インターフェースタイプに関する前記情報が、複数の所定の通信インターフェースタイプのうちの１つの１つまたは複数のインジケータを備える、［Ｃ３３］に記載のコンピュータプログラム製品。
［Ｃ３７］
前記所定の通信インターフェースタイプが、少なくともｃｄｍａ２０００−１ｘ、ＨＲＰＤ、ＧＳＭ、ＵＭＴＳ、ＵＭＢ、ＷｉＭＡＸ、またはＬＴＥを含む、［Ｃ３６］に記載のコンピュータプログラム製品。
［Ｃ３８］
前記コンピュータ可読媒体が、
前記アクセスノードの１つまたは複数のユーザゾーンを判断することをコンピュータに行わせるためのコードと、
前記判断されたユーザゾーンに関する情報を前記ユーザゾーンリストに記憶することをコンピュータに行わせるためのコードと
をさらに備える、［Ｃ３３］に記載のコンピュータプログラム製品。
［Ｃ３９］
前記アクセスノードの１つまたは複数のユーザゾーンを判断することをコンピュータに行わせるための前記コードが、１つまたは複数のユーザゾーン通信インターフェースタイプを判断することをコンピュータに行わせるためのコードを備え、前記判断されたユーザゾーンに関する情報を記憶することをコンピュータに行わせるための前記コードが、前記ユーザゾーン通信インターフェースタイプに関する情報を記憶することをコンピュータに行わせるためのコードを備える、［Ｃ３８］に記載の装置。
［Ｃ４０］
前記アクセスノードの前記判断された通信インターフェースタイプのうちの少なくとも１つが、前記判断されたユーザゾーン通信インターフェースタイプのうちの少なくとも１つとは異なる、［Ｃ３９］に記載のコンピュータプログラム製品。
［Ｃ４１］
前記判断されたユーザゾーンに関する前記情報が、１つまたは複数の地理的エリアを備える、［Ｃ３８］に記載のコンピュータプログラム製品。
［Ｃ４２］
前記判断されたユーザゾーンに関する前記情報が擬似雑音オフセットを備える、［Ｃ３８］に記載のコンピュータプログラム製品。
［Ｃ４３］
前記判断されたユーザゾーンに関する前記情報が、２つの受信基準信号間の時間差を備える、［Ｃ３８］に記載のコンピュータプログラム製品。
［Ｃ４４］
前記判断されたユーザゾーンに関する前記情報がサブネット識別子を備える、［Ｃ３８］に記載のコンピュータプログラム製品。
［Ｃ４５］
前記コンピュータ可読媒体が、前記アクセスノードの判断されたユーザゾーンの数に関する情報を前記ユーザゾーンリストに記憶することをコンピュータに行わせるためのコードをさらに備える、［Ｃ３８］に記載のコンピュータプログラム製品。
［Ｃ４６］
前記コンピュータ可読媒体が、
第１のユーザゾーン通信インターフェースタイプを有する前記アクセスノードの第１のユーザゾーンを判断することをコンピュータに行わせるためのコードと、
前記第１の通信インターフェースタイプとは異なる第２のユーザゾーン通信インターフェースタイプを有する前記アクセスノードの第２のユーザゾーンを判断することをコンピュータに行わせるためのコードと、
前記第１のユーザゾーンに関する情報を前記ユーザゾーンリストに記憶することをコンピュータに行わせるためのコードと、
前記第２のユーザゾーンに関する情報を前記ユーザゾーンリストに記憶することをコンピュータに行わせるためのコードであって、前記第２のユーザゾーンに関する前記情報が、前記第１のユーザゾーンに関する前記情報への参照を備える、コードと
をさらに備える、［Ｃ３３］に記載のコンピュータプログラム製品。
［Ｃ４７］
前記アクセスノードの１つまたは複数の通信インターフェースタイプを判断することをコンピュータに行わせるための前記コードが、第１の通信インターフェースタイプを判断することをコンピュータに行わせるためのコードと、前記第１の通信インターフェースタイプとは異なる第２の通信インターフェースタイプを判断することをコンピュータに行わせるためのコードとを備え、前記判断された通信インターフェースタイプに関する情報を記憶することをコンピュータに行わせるための前記コードが、前記第１の通信インターフェースタイプに関する情報を前記ユーザゾーンリスト中の第１のユーザゾーンファイルに記憶することをコンピュータに行わせるためのコードと、前記第２の通信インターフェースタイプに関する情報を前記ユーザゾーンリストの第２のユーザゾーンファイルに記憶することをコンピュータに行わせるためのコードとを備える、［Ｃ３３］に記載の方法。
［Ｃ４８］
前記第２のユーザゾーンファイルが前記第１のユーザゾーンファイルへの参照を備える、［Ｃ４７］に記載のコンピュータプログラム製品。
［Ｃ４９］
ユーザゾーンリストに情報を記憶するための装置であって、
ワイヤレスデバイスにおいて、アクセスノードの１つまたは複数の通信インターフェースタイプを判断するための手段と、
前記判断された通信インターフェースタイプに関する情報をユーザゾーンリストに記憶するための手段と
を備える装置。
［Ｃ５０］
前記ユーザゾーンリストが１つまたは複数のユーザゾーンファイルを備え、各ユーザゾーンファイルが、対応するアクセスノードに関する情報と、各対応するアクセスノードに関連付けられた１つまたは複数のユーザゾーンに関する情報とを備える、［Ｃ４９］に記載の装置。
［Ｃ５１］
前記ワイヤレスデバイスが前記アクセスノードに関連付けられたユーザゾーン内にあると判断するための手段と、
前記アクセスノードを探索するための手段と
をさらに備える、［Ｃ４９］に記載の装置。
［Ｃ５２］
前記判断された通信インターフェースタイプに関する前記情報が、複数の所定の通信インターフェースタイプのうちの１つの１つまたは複数のインジケータを備える、［Ｃ４９］に記載の装置。
［Ｃ５３］
前記所定の通信インターフェースタイプが、少なくともｃｄｍａ２０００−１ｘ、ＨＲＰＤ、ＧＳＭ、ＵＭＴＳ、ＵＭＢ、ＷｉＭＡＸ、またはＬＴＥを含む、［Ｃ５２］に記載の装置。
［Ｃ５４］
前記アクセスノードの１つまたは複数のユーザゾーンを判断するための手段と、
前記判断されたユーザゾーンに関する情報を前記ユーザゾーンリストに記憶するための手段と
をさらに備える、［Ｃ４９］に記載の装置。
［Ｃ５５］
前記アクセスノードの１つまたは複数のユーザゾーンを判断するための前記手段が、１つまたは複数のユーザゾーン通信インターフェースタイプを判断するための手段を備え、前記判断されたユーザゾーンに関する情報を記憶するための前記手段が、前記ユーザゾーン通信インターフェースタイプに関する情報を記憶するための手段を備える、［Ｃ５４］に記載の装置。
［Ｃ５６］
前記アクセスノードの前記判断された通信インターフェースタイプのうちの少なくとも１つが、前記判断されたユーザゾーン通信インターフェースタイプのうちの少なくとも１つとは異なる、［Ｃ５５］に記載の装置。
［Ｃ５７］
前記判断されたユーザゾーンに関する前記情報が、１つまたは複数の地理的エリアを備える、［Ｃ５４］に記載の装置。
［Ｃ５８］
前記判断されたユーザゾーンに関する前記情報が擬似雑音オフセットを備える、［Ｃ５４］に記載の装置。
［Ｃ５９］
前記判断されたユーザゾーンに関する前記情報が、２つの受信基準信号間の時間差を備える、［Ｃ５４］に記載の装置。
［Ｃ６０］
前記判断されたユーザゾーンに関する前記情報がサブネット識別子を備える、［Ｃ５４］に記載の装置。
［Ｃ６１］
前記アクセスノードの判断されたユーザゾーンの数に関する情報を前記ユーザゾーンリストに記憶するための手段をさらに備える、［Ｃ５４］に記載の装置。
［Ｃ６２］
第１のユーザゾーン通信インターフェースタイプを有する前記アクセスノードの第１のユーザゾーンを判断するための手段と、
前記第１の通信インターフェースタイプとは異なる第２のユーザゾーン通信インターフェースタイプを有する前記アクセスノードの第２のユーザゾーンを判断するための手段と、
前記第１のユーザゾーンに関する情報を前記ユーザゾーンリストに記憶するための手段と、
前記第２のユーザゾーンに関する情報を前記ユーザゾーンリストに記憶するための手段であって、前記第２のユーザゾーンに関する前記情報が、前記第１のユーザゾーンに関する前記情報への参照を備える、記憶するための手段と
をさらに備える、［Ｃ４９］に記載の装置。
［Ｃ６３］
前記アクセスノードの１つまたは複数の通信インターフェースタイプを判断するための前記手段が、第１の通信インターフェースタイプを判断するための手段と、前記第１の通信インターフェースタイプとは異なる第２の通信インターフェースタイプを判断するための手段とを備え、前記判断された通信インターフェースタイプに関する情報を記憶するための前記手段が、前記第１の通信インターフェースタイプに関する情報を前記ユーザゾーンリスト中の第１のユーザゾーンファイルに記憶するための手段と、前記第２の通信インターフェースタイプに関する情報を前記ユーザゾーンリストの第２のユーザゾーンファイルに記憶するための手段とを備える、［Ｃ４９］に記載の装置。
［Ｃ６４］
前記第２のユーザゾーンファイルが前記第１のユーザゾーンファイルへの参照を備える、［Ｃ６３］に記載の装置。
【図１】
0005646603.tif 000002
【図２】
0005646603.tif 000003
【図３】
0005646603.tif 000004
【図４】
0005646603.tif 000005
【図５Ａ】
0005646603.tif 000006
【図５Ｂ】
0005646603.tif 000007
【図６】
0005646603.tif 000008
【図７】
0005646603.tif 000009
【図８】
0005646603.tif 000010
【図９】
0005646603.tif 000011
【図１０】
0005646603.tif 000012
【図１１】
0005646603.tif 000013
【図１２】
0005646603.tif 000014
【図１３】
0005646603.tif 000015
【図１４】
0005646603.tif 000016
【図１５】
0005646603.tif 000017
【図１６】
0005646603.tif 000018
【図１７】
0005646603.tif 000019